(57)【要約】トラフィックを多重化するためのシステムおよび方法。基地局などのワイヤレスデバイスは、第１のリソース上で第１のＵＥへの第１のデータ（たとえば、レイテンシトレラントデータ）の第１の送信をスケジュールし、第１のリソースの部分上で第２のＵＥに第２のデータ（たとえば、低レイテンシデータ）を送信し得る。基地局は、第１のリソース上の第２のデータの存在をそれ自体が示す第２のインジケータについて第１のＵＥが監視すべきであることを示す第１のインジケータを、たとえば無線リソース制御（ＲＲＣ）シグナリングを介して第１のＵＥにシグナリングし得る。基地局は、次いで、第２のインジケータを第１のＵＥにシグナリングして、第１のリソース上の第２のデータの存在を示し得る。第１のインジケータを使用して第２のインジケータの監視を開始することによって、第１のＵＥは、ある時間期間中にまたはある周波数帯域中に第２のデータトラフィックがない場合、それが実施する必要がある監視の量を低減することができる。
2019531643.tif 000002
【特許請求の範囲】
【請求項１】
第１のユーザ機器（ＵＥ）によって実施される方法であって、
第１のリソース上の第１のデータの第１の送信について基地局（ＢＳ）からスケジューリング情報を受信するステップと、
前記第１のＵＥが第２のインジケータについて監視すべきであることを示す第１のインジケータを基地局（ＢＳ）から受信するステップであって、前記第２のインジケータが、前記第１のリソースの少なくとも部分上で第２のＵＥに送信される前記第１のリソース上の第２のデータの存在を示す、ステップと、
前記ＢＳから第２のインジケータを受信するステップであって、前記第２のインジケータが、前記第１のリソース上の第２のデータの前記存在を示す、ステップと、
前記スケジューリング情報および前記第１のインジケータに基づいて前記第１の送信を復号するステップと
を備える、方法。
【請求項２】
第２のインジケータについて監視するステップをさらに備える請求項１に記載の方法。
【請求項３】
前記ＢＳから他の第１のインジケータを受信するステップをさらに備え、前記他の第１のインジケータは、第２のデータが前記第１のリソース上で送信されないことになっているとき、前記第１のＵＥが第２のインジケータについて監視すべきでないことを示す請求項１または請求項２に記載の方法。
【請求項４】
前記第１のインジケータは、無線リソース制御（ＲＲＣ）シグナリングを介してシグナリングされる請求項１乃至３のいずれか一項に記載の方法。
【請求項５】
前記第１の送信は、第１のデータおよび第２のデータの送信のために利用可能な共存領域においてスケジュールされる請求項１乃至４のいずれか一項に記載の方法。
【請求項６】
前記第２のインジケータは、ユニキャスト送信、マルチキャスト送信またはブロードキャスト送信において前記ＢＳから受信される請求項１乃至５のいずれか一項に記載の方法。
【請求項７】
前記第２のインジケータは、前記第２のデータを送信するために使用される前記第１のリソースの前記部分または前記第２のデータが存在する前記第１の送信の部分を示す請求項６に記載の方法。
【請求項８】
前記第１の送信の前記部分は、コードブロック（ＣＢ）、トランスポートブロック（ＴＢ）、ＣＢのグループ、またはＴＢのグループのうちの１つまたは複数を備える請求項７に記載の方法。
【請求項９】
前記第１のリソースの前記部分は、前記第１のリソースの時間リソース、送信時間単位（ＴＴＵ）、送信時間間隔（ＴＴＩ）、シンボル、フレーム、サブフレーム、スロット、ミニスロット、周波数リソース、リソースブロック（ＲＢ）、またはリソースブロックグループ（ＲＢＧ）のうちの１つまたは複数を備える請求項７に記載の方法。
【請求項１０】
前記第２のインジケータは、前記第１のリソースの前記部分上の前記第２のデータの前記存在または前記第２のデータが存在する前記第１の送信の前記部分を示す複数のビットを備える請求項７に記載の方法。
【請求項１１】
前記複数のビットの各々は、前記第１のリソースのそれぞれのリソース上のまたは前記第１の送信のそれぞれの部分上の前記第２のデータの前記存在または不在を示す請求項１０に記載の方法。
【請求項１２】
前記複数のビットは、前記第１のリソースの前記部分の、それぞれの複数の時間リソース、それぞれの複数の周波数リソースまたはそれぞれの複数の時間周波数リソースのうちの少なくとも１つに対応する請求項１０に記載の方法。
【請求項１３】
前記複数のビットは、前記第１の送信の、それぞれの複数のＣＢまたはそれぞれの複数のＴＢのうちの少なくとも１つに対応する請求項１０に記載の方法。
【請求項１４】
前記第２のデータは、前記第１の送信の前記部分をパンクチャリングして前記第２のデータを送信するステップまたは前記第１の送信の前記部分のために割り振られる電力を低減して前記第２のデータを送信するステップのうちの少なくとも１つによって前記第１のリソースの部分上で前記ＢＳによって送信される請求項１乃至１３のいずれか一項に記載の方法。
【請求項１５】
ワイヤレス通信のために構成された第１のユーザ機器（ＵＥ）であって、
命令を備える非一時的メモリストレージと、
前記メモリと通信している１つまたは複数のプロセッサとを備え、前記１つまたは複数のプロセッサは、
第１のリソース上の第１のデータの第１の送信について基地局（ＢＳ）からスケジューリング情報を受信することと、
前記第１のＵＥが第２のインジケータについて監視すべきであることを示す第１のインジケータを基地局（ＢＳ）から受信することであって、前記第２のインジケータが、前記第１のリソースの少なくとも部分上で第２のＵＥに送信される前記第１のリソース上の第２のデータの存在を示す、受信することと、
前記ＢＳから第２のインジケータを受信することであって、前記第２のインジケータが、前記第１のリソース上の第２のデータの前記存在を示す、受信することと、
前記スケジューリング情報および前記第１のインジケータに基づいて前記第１の送信を復号することと
を行うために前記命令を実行する、第１のＵＥ。
【請求項１６】
前記１つまたは複数のプロセッサは、第２のインジケータについて監視するために前記命令をさらに実行する請求項１５に記載の第１のＵＥ。
【請求項１７】
前記１つまたは複数のプロセッサは、前記ＢＳから他の第１のインジケータを受信するために前記命令をさらに実行し、前記他の第１のインジケータは、第２のデータが前記第１のリソース上で送信されないことになっているとき、前記第１のＵＥが第２のインジケータについて監視すべきでないことを示す請求項１５または１６に記載の第１のＵＥ。
【請求項１８】
前記第１のインジケータは、無線リソース制御（ＲＲＣ）シグナリングを介してシグナリングされる請求項１５乃至１７のいずれか一項に記載の第１のＵＥ。
【請求項１９】
前記第１の送信は、第１のデータおよび第２のデータの送信のために利用可能な共存領域においてスケジュールされる請求項１５乃至１８のいずれか一項に記載の第１のＵＥ。
【請求項２０】
前記第２のインジケータは、ユニキャスト送信、マルチキャスト送信またはブロードキャスト送信において前記ＢＳから受信される請求項１５乃至１９のいずれか一項に記載の第１のＵＥ。
【請求項２１】
前記第２のインジケータは、前記第２のデータを送信するために使用される前記第１のリソースの前記部分または前記第２のデータが存在する前記第１の送信の部分を示す請求項２０に記載の第１のＵＥ。
【請求項２２】
前記第１の送信の前記部分は、コードブロック（ＣＢ）、トランスポートブロック（ＴＢ）、ＣＢのグループ、またはＴＢのグループのうちの１つまたは複数を備える請求項２１に記載の第１のＵＥ。
【請求項２３】
前記第１のリソースの前記部分は、前記第１のリソースの時間リソース、送信時間単位（ＴＴＵ）、送信時間間隔（ＴＴＩ）、シンボル、フレーム、サブフレーム、スロット、ミニスロット、周波数リソース、リソースブロック（ＲＢ）、またはリソースブロックグループ（ＲＢＧ）のうちの１つまたは複数を備える請求項２１に記載の第１のＵＥ。
【請求項２４】
前記第２のインジケータは、前記第１のリソースの前記部分上の前記第２のデータの前記存在または前記第２のデータが存在する前記第１の送信の前記部分を示す複数のビットを備える請求項２１に記載の第１のＵＥ。
【請求項２５】
前記複数のビットの各々は、前記第１のリソースのそれぞれのリソース上のまたは前記第１の送信のそれぞれの部分上の前記第２のデータの前記存在または不在を示す請求項２４に記載の第１のＵＥ。
【請求項２６】
前記複数のビットは、前記第１のリソースの前記部分の、それぞれの複数の時間リソース、それぞれの複数の周波数リソースまたはそれぞれの複数の時間周波数リソースのうちの少なくとも１つに対応する請求項２４に記載の第１のＵＥ。
【請求項２７】
前記複数のビットは、前記第１の送信の、それぞれの複数のＣＢまたはそれぞれの複数のＴＢのうちの少なくとも１つに対応する請求項２４に記載の第１のＵＥ。
【請求項２８】
前記第２のデータは、前記第１の送信の前記部分をパンクチャリングして前記第２のデータを送信するステップまたは前記第１の送信の前記部分のために割り振られる電力を低減して前記第２のデータを送信するステップのうちの少なくとも１つによって前記第１のリソースの部分上で前記ＢＳによって送信される請求項１５乃至２７のいずれか一項に記載の第１のＵＥ。
【発明の詳細な説明】
【技術分野】
【０００１】
この特許出願は、２０１６年１２月１５日に出願された「Ｓｙｓｔｅｍ  ａｎｄ  Ｍｅｔｈｏｄ  ｆｏｒ  Ｍｕｌｔｉｐｌｅｘｉｎｇ  Ｔｒａｆｆｉｃ」と題する米国特許仮出願第６２／４３５，０１９号、２０１６年８月２５日に出願された「Ｃｏ−ｅｘｉｓｔｅｎｃｅ  ｏｆ  Ｌｏｗ  Ｌａｔｅｎｃｙ  ａｎｄ  Ｌａｔｅｎｃｙ  Ｔｏｌｅｒａｎｔ  Ｄｏｗｎｌｉｎｋ  Ｃｏｍｍｕｎｉｃａｔｉｏｎ」と題する米国特許仮出願第６２／３７９，５５９号、および２０１７年６月３０日に出願された「Ｓｙｓｔｅｍ  ａｎｄ  Ｍｅｔｈｏｄ  ｆｏｒ  Ｍｕｌｔｉｐｌｅｘｉｎｇ  Ｔｒａｆｆｉｃ」と題する米国特許出願第１５／６４０４０４号の優先権を主張するものであり、あたかもそれらの全体が再掲されたかのようにそれらのすべてが参照により本明細書に組み込まれる。
【０００２】
本発明は、一般にワイヤレス通信のためのシステムおよび方法に関し、特定の実施形態では、低レイテンシおよびレイテンシトレラント通信の多重化のためのシステムおよび方法に関する。
【背景技術】
【０００３】
いくつかのワイヤレス通信システムでは、ユーザ機器（ＵＥ）は１つまたは複数の基地局とワイヤレスで通信する。ＵＥから基地局へのワイヤレス通信はアップリンク通信と呼ばれる。基地局からＵＥへのワイヤレス通信はダウンリンク通信と呼ばれる。アップリンクおよびダウンリンク通信を実施するためにリソースが必要とされる。たとえば、基地局または基地局のグループは、特定の時間の期間の間、特定の周波数で、ダウンリンク通信においてＵＥにデータをワイヤレス送信し得る。周波数および時間はリソースの例である。
【０００４】
基地局は、基地局によってサービスされるＵＥへのダウンリンク通信のためにリソースを割り振る。ワイヤレス通信は、直交周波数分割多重化（ＯＦＤＭ）シンボルを送信することによって実施され得る。
【０００５】
基地局によってサービスされるいくつかのＵＥは、基地局によってサービスされる他のＵＥよりも低レイテンシで基地局からデータを受信する必要があり得る。たとえば、基地局は、第１のＵＥおよび第２のＵＥを含む、複数のＵＥにサービスすることがある。第１のＵＥは、インターネット上でブラウジングするために第１のＵＥを使用している人間によって携帯されるモバイルデバイスであり得る。第２のＵＥは、ハイウェイ上で運転している自律車両上の機器であり得る。基地局は両方のＵＥにサービスしているが、第２のＵＥは、第１のＵＥと比較してより低レイテンシでデータを受信する必要もあり得る。第２のＵＥはまた、第１のＵＥよりも高い信頼性でそれのデータを受信する必要があり得る。第２のＵＥは超高信頼低レイテンシ通信（ultra-reliable low latency communication）（ＵＲＬＬＣ）ＵＥであり得るが、第１のＵＥは拡張モバイルブロードバンド（enhanced mobile broadband）（ｅＭＢＢ）ＵＥであり得る。
【０００６】
基地局によってサービスされ、より低レイテンシのダウンリンク通信を必要とするＵＥは、「低レイテンシＵＥ（low latency UE）」と呼ばれる。基地局によってサービスされる他のＵＥは「レイテンシトレラントＵＥ（latency tolerant UE）」と呼ばれる。基地局から低レイテンシＵＥに送信されるべきデータは「低レイテンシデータ（low latency data）」と呼ばれ、基地局からレイテンシトレラントＵＥに送信されるべきデータは「レイテンシトレラントデータ（latency tolerant data）」と呼ばれる。
【発明の概要】
【０００７】
技術的利点は、トラフィックを多重化するためのシステムおよび方法について説明する本開示の実施形態によって概して達成される。
【０００８】
本発明の一実施形態によれば、基地局によって実施され得るように、トラフィックを多重化するための方法が提供される。この例では、本方法は、第１のリソース上で第１のユーザ機器（ＵＥ）への第１のデータの第１の送信をスケジュールするステップと、第１のリソースの少なくとも部分上で第２のＵＥに第２のデータを送信するステップとを含む。本方法は、第１のＵＥが第２のインジケータについて監視すべきであることを示す第１のインジケータを第１のＵＥにシグナリングするステップであって、第２のインジケータが、第１のリソース上の第２のデータの存在を示す、ステップと、第１のリソース上の第２のデータの存在を示す第２のインジケータを第１のＵＥにシグナリングするステップとをさらに含む。この方法を実施するための装置も提供される。
【０００９】
上記の基地局方法実施形態では、本方法は、第２のデータが第１のリソース上で送信されるべきでないとき、第１のＵＥが第２のインジケータについて監視すべきでないことを示すために、他の第１のインジケータを第１のＵＥにシグナリングするステップをさらに含み得る。
【００１０】
第１のユーザ機器（ＵＥ）とのワイヤレス通信のために構成され、ワイヤレス通信のために構成された基地局（ＢＳ）は、命令を備える非一時的メモリストレージと、メモリと通信している１つまたは複数のプロセッサとを含んでよく、１つまたは複数のプロセッサは、上記で説明されたＢＳ方法実施形態のいずれかを実施するために命令を実行する。
【００１１】
本発明の別の実施形態によれば、第１のユーザ機器（ＵＥ）によって実施され得るように、ワイヤレス通信システムにおけるリソース割振りのための方法が提供される。この例では、本方法は、第１のリソース上の第１のデータの第１の送信について基地局（ＢＳ）からスケジューリング情報を受信するステップと、第１のリソースの少なくとも部分上で第２のＵＥに送信される第１のリソース上の第２のデータの存在を示す第２のインジケータについて第１のＵＥが監視すべきであることを示す第１のインジケータをＢＳから受信するステップとを含む。本方法は、第１のリソース上の第２のデータの存在を示す第２のインジケータをＢＳから受信するステップと、スケジューリング情報および第２のインジケータに基づいて第１の送信を復号するステップとをさらに含む。
【００１２】
上記のＵＥ方法実施形態では、本方法は、第２のインジケータについて監視するステップをさらに含み得る。上記のＵＥ方法実施形態のいずれかにおいて、本方法は、ＢＳから他の第１のインジケータを受信するステップをさらに含んでよく、他の第１のインジケータは、第２のデータが第１のリソース上で送信されるべきでないとき、第１のＵＥが第２のインジケータについて監視すべきでないことを示す。上記のＵＥ方法実施形態のいずれかにおいて、第２のデータは、第１のリソースの部分上でＢＳから受信されてよく、第２のデータを送信するために第１の送信の部分の少なくとも１つがパンクチャリングされ、または第２のデータの送信を可能にするために、第１の送信の部分が低減された電力を有する。
【００１３】
ワイヤレス通信のために構成された第１のユーザ機器（ＵＥ）は、命令を備える非一時的メモリストレージと、メモリと通信している１つまたは複数のプロセッサとを含んでよく、１つまたは複数のプロセッサは、上記で説明されたＵＥ方法実施形態のいずれかを実施するために命令を実行する。
【００１４】
上記の基地局およびＵＥ実施形態のいずれかでは、（任意の組合せにおける）以下のオプションのうちの１つまたは複数が可能である。第１のインジケータは、無線リソース制御（ＲＲＣ）シグナリングを介してシグナリングされ得る。第１の送信は、第１のデータおよび第２のデータの送信のために利用可能な共存領域においてスケジュールされ得る。第２のインジケータは、ユニキャスト送信、マルチキャスト送信またはブロードキャスト送信においてＢＳから受信され得る。第２のインジケータは、第２のデータを送信するために使用される第１のリソースの部分または第２のデータが存在する第１の送信の部分を示し得る。第１の送信の部分は、コードブロック（ＣＢ）、トランスポートブロック（ＴＢ）、ＣＢのグループ、またはＴＢのグループのうちの１つまたは複数を含み得る。第１のリソースの部分は、第１のリソースの時間リソース、送信時間単位（ＴＴＵ）、送信時間間隔（ＴＴＩ）、シンボル、フレーム、サブフレーム、スロット、ミニスロット、周波数リソース、リソースブロック（ＲＢ）、またはリソースブロックグループ（ＲＢＧ）のうちの１つまたは複数を含み得る。第２のインジケータは、第１のリソースの部分上の第２のデータの存在または第２のデータが存在する第１の送信の部分を示すビットを含み得る。第２のインジケータは、第１のリソースの部分上の第２のデータの存在または第２のデータが存在する第１の送信の部分を示す複数のビットを含み得る。複数のビットの各々は、第１のリソースのそれぞれのリソース上のまたは第１の送信のそれぞれの部分上の第２のデータの存在または不在を示し得る。複数のビットは、第１のリソースの部分の、それぞれの複数の時間リソース、それぞれの複数の周波数リソースまたはそれぞれの複数の時間周波数リソースのうちの少なくとも１つに対応し得る。複数のビットは、第１の送信の、それぞれの複数のＣＢまたはそれぞれの複数のＴＢのうちの少なくとも１つに対応し得る。第２のインジケータは、明示的指示および暗黙的指示のうちの１つであり得る。第２のインジケータは、第１のリソース上でまたは第１のリソース外で送信され得る。
【図面の簡単な説明】
【００１５】
本発明およびそれの利点のより完全な理解のために、次に、添付の図面とともに以下の説明への参照がなされる。
【図１】データを通信するためのネットワークを示す図である。
【図２】ミニスロットアーキテクチャの一実施形態を示す図である。
【図３】ミニスロットの一実施形態構造を示す図である。
【図４】ミニスロットの２つの実施形態開始位置を示す図である。
【図５Ａ】ミニスロットトラフィックの一実施形態明示的ポスト指示を示す図である。
【図５Ｂ】低レイテンシトラフィックの一実施形態指示を示す図である。
【図６】一実施形態レイテンシトレラントＣＢマッピングを示す図である。
【図７Ａ】ミニスロット構成およびシグナリングの実施形態を示す図である。
【図７Ｂ】ミニスロット構成およびシグナリングの実施形態を示す図である。
【図７Ｃ】ミニスロット構成およびシグナリングの実施形態を示す図である。
【図７Ｄ】ミニスロット構成およびシグナリングの実施形態を示す図である。
【図７Ｅ】ミニスロット構成およびシグナリングの実施形態を示す図である。
【図８】トランスポートブロック（ＴＢ）中のレイテンシトレラントトラフィックのためのリソースの一実施形態動的割振りを示す図である。
【図９Ａ】通信システムにおいて低レイテンシトラフィックをシグナリングするための実施形態方法を示す図である。
【図９Ｂ】通信システムにおいて低レイテンシトラフィックをシグナリングするための実施形態方法を示す図である。
【図９Ｃ】通信システムにおいて低レイテンシトラフィックをシグナリングするための実施形態方法を示す図である。
【図１０Ａ】低レイテンシトラフィックのための予約済みリソースおよび指示の実施形態を示す図である。
【図１０Ｂ】低レイテンシトラフィックのための予約済みリソースおよび指示の実施形態を示す図である。
【図１０Ｃ】低レイテンシトラフィックのための予約済みリソースおよび指示の実施形態を示す図である。
【図１０Ｄ】低レイテンシトラフィックのための予約済みリソースおよび指示の実施形態を示す図である。
【図１１】低レイテンシトラフィック指示を用いた通信方式の一実施形態フローチャートである。
【図１２】一実施形態処理システムの図である。
【図１３】一実施形態トランシーバの図である。
【００１６】
異なる図中の対応する数字および記号は、他に示されない限り、対応する部分を一般に指す。図は、本実施形態の関係する態様を明らかに示すために描かれており、必ずしも一定の縮尺で描かれていない。
【発明を実施するための形態】
【００１７】
現在好ましい実施形態の構造、製造および使用について、以下で詳細に説明される。ただし、本発明は、多種多様な特定のコンテキストにおいて具体化することができる多くの適用可能な発明概念を提供することを理解されたい。述べられる特定の実施形態は、本発明を製作し使用するための特定の方法を示すものにすぎず、本発明の範囲を限定しない。
【００１８】
図１は、データを通信するためのネットワーク１００を示す。ネットワーク１００は、カバレージエリア１１２を有する基地局１１０と、複数のモバイルデバイス１２０および１４０と、バックホールネットワーク１３０とを備える。図示のように、基地局１１０は、モバイルデバイス１２０および１４０から基地局１１０にならびにその逆にデータを搬送するためにサービスする、モバイルデバイス１２０および１４０とのアップリンク（破線）および／またはダウンリンク（点線）接続を確立する。アップリンク／ダウンリンク接続を介して搬送されるデータは、モバイルデバイス１２０とモバイルデバイス１４０との間で通信されるデータ、ならびにバックホールネットワーク１３０を経由してリモートエンド（図示せず）に／から通信されるデータを含み得る。本明細書で使用されるとき、「基地局」という用語は、拡張ノードＢ（ｅＮＢ）、ｇノードＢ（ｇＮＢ）、マクロセル、フェムトセル、Ｗｉ−Ｆｉアクセスポイント（ＡＰ）、または他のワイヤレス対応デバイスなど、ネットワークへのワイヤレスアクセスを提供するように構成された任意の構成要素（または構成要素の集合）を指す。「ｅＮＢ」、「ｇＮＢ」、および「基地局」という用語は、本開示全体にわたって互換的に使用される。基地局は、１つまたは複数のワイヤレス通信プロトコル、たとえば、ロングタームエボリューション（ＬＴＥ）、ＬＴＥアドバンスト（ＬＴＥ−Ａ）、高速パケットアクセス（ＨＳＰＡ）、Ｗｉ−Ｆｉ８０２．１１ａ／ｂ／ｇ／ｎ／ａｃなどに従ってワイヤレスアクセスを提供し得る。本明細書で使用されるとき、「モバイルデバイス」という用語は、ユーザ機器（ＵＥ）、移動局（ＳＴＡ）、および他のワイヤレス対応デバイスなど、基地局とのワイヤレス接続を確立することが可能な任意の構成要素（または構成要素の集合）を指す。いくつかの実施形態では、ネットワーク１００は、リレー、低電力ノードなど、様々な他のワイヤレスデバイスを備え得る。
【００１９】
ＵＥ１２０は低レイテンシＵＥであり得、ＵＥ１４０はレイテンシトレラントＵＥであり得る。すなわち、ＵＥ１２０は、ＵＥ１４０と比較してより低レイテンシのダウンリンク通信を必要とし得る。たとえば、ＵＥ１２０はＵＲＬＬＣ  ＵＥであり得、ＵＥ１４０はｅＭＢＢ  ＵＥであり得る。本開示におけるＵＲＬＬＣおよびｅＭＢＢへの言及は、低レイテンシトラフィックおよびレイテンシトレラントトラフィックの例にすぎず、本明細書で説明される方法は、異なるレイテンシ要件を有するどのような２つのトラフィックタイプにも等しく適用可能であることを理解されたい。いくつかの例は、高い信頼性を必要としない低レイテンシトラフィック、信頼性要件があまり厳しくないレイテンシトレラントトラフィックを含む。追加の例は、同じまたは異なるレイテンシ要件をもつ異なるＵＥに宛てられたトラフィックを含む。いくつかの使用事例は、大量マシンタイプ通信（ｍＭＴＣ）および／またはナローバンドのモノのインターネット（ＮＢ−ＩｏＴ）をも含む。本発明で述べられる多重化方式は、適用可能な場合はいつでも、上述の例にも関係し得る。基地局１１０は図１ではただ２つのＵＥにサービスするが、実際の動作では、基地局１１０ははるかに多いＵＥにサービスし得る。また、単一のＵＥ１２０、１４０は、２つ以上の基地局１１０によってサービスされ得ることが企図される。レイテンシトレラントＵＥへのダウンリンク送信は、典型的には許可ベースであるが、許可なしであってよい。また、低レイテンシＵＥへのダウンリンク送信は、許可ベースまたは許可なしであり得る。
【００２０】
基地局１１０がＵＥ１２０および／または１４０に送信すべきデータを有するとき、基地局１１０は、割り振られたリソース、たとえば時間／周波数リソースを使用して１つまたは複数のダウンリンク送信においてこのデータを送信する。ＵＥ１２０、１４０への送信のために特定のリソースパーティションが割り当てられ得る。低レイテンシデータのダウンリンク送信のために時間／周波数リソースの部分が予約されることがあり、この部分は低レイテンシリソースと呼ばれ得る。レイテンシトレラントデータのダウンリンク送信のために時間／周波数リソースの何らかの他の部分が予約されることがあり、この部分はレイテンシトレラントリソースと呼ばれ得る。低レイテンシリソースとして予約されるリソースの部分は、たとえばトラフィック負荷、帯域幅要件、およびレイテンシなどの要因に基づいて、時間とともに動的または半静的に変化し得る。低レイテンシデータは本質的にバースト的またはスポラディックであり得、短いパケット中で送信され得る。低レイテンシデータのためにリソースを専用化するのは非効率的なことがある。したがって、レイテンシトレラントトラフィックのためのリソース割当てが、時間ドメインおよび周波数ドメインにおいて低レイテンシトラフィックのためのリソース割当てと重複する、共存領域が定義され得る。レイテンシトレラントＵＥは、それらが共存領域中にスケジュールされた場合、それらの送信中に低レイテンシトラフィックの存在を監視し得る。別の例では、特定の共存領域は予約されないことがある。共存は、キャリア帯域幅（ＢＷ）内の共有時間周波数リソース内で動的に発生し得る。さらに、共存リソースが複数のキャリアＢＷにわたり得ることも可能である。あるいは、進行中のまたはスケジュールされた（レイテンシトレラント）送信は、他の（低レイテンシ）送信のためにスケジュールされたリソースの部分を割り振るかまたはさもなければ使用することによって「パンクチャリング」または「プリエンプト」され得る。
【００２１】
いくつかの実施形態では、基地局は、第１のリソース上で第１のＵＥへの第１のデータ（たとえばレイテンシトレラントデータ）の第１の送信をスケジュールし、第１のリソースの部分上で第２のＵＥに第２のデータ（たとえば低レイテンシデータ）を送信し得る。基地局は、第１のＵＥに第１のインジケータまたは指示を、たとえば（本開示全体にわたって互換的に使用される）構成インジケータまたは監視インジケータをシグナリングして、第１のリソース上の第２のデータの存在を示す第２のインジケータについて第１のＵＥが監視すべきであることを示し得る。第１のインジケータは、無線リソース制御（ＲＲＣ）シグナリングを介してシグナリングされ得る。第２のインジケータは、第１のリソース上の第２のデータの存在を示す。第１のインジケータが、第１のＵＥが第２のインジケータについて監視すべきであることを示すと、基地局は、第１のリソース上の第２のデータの存在を示す第２のインジケータを第１のＵＥにシグナリングし得る。第１のリソースの部分は、第２のデータの送信によってパンクチャリングまたはプリエンプトされ得る。
【００２２】
いくつかの実施形態では、第１のＵＥは、第１のリソース上の第１のデータ（たとえばレイテンシトレラントデータ）の第１の送信について基地局からスケジューリング情報を受信し得る。第１のＵＥは、第１のリソースの少なくとも部分上で第２のＵＥに送信される第１のリソース上の第２のデータ（たとえば低レイテンシデータ）の存在を示す第２のインジケータについて第１のＵＥが監視すべきであることを示す第１のインジケータまたは指示（たとえば構成または監視インジケータ）を基地局から受信し得る。第１のインジケータは、無線リソース制御（ＲＲＣ）シグナリングを介してシグナリングされ得る。いくつかの実装形態では、第１の送信は、第１のデータおよび第２のデータの送信のために利用可能な共存領域においてスケジュールされる。第１のＵＥが第２のインジケータについて監視すべきであることを示す第１のインジケータの後に、第１のＵＥは、第１のリソース上の第２のデータの存在を示す第２のインジケータを受信し、スケジューリング情報および第２のインジケータに基づいて第１の送信を復号し得る。第１のリソースの部分は、第２のデータの送信によってパンクチャリングまたはプリエンプトされ得る。
【００２３】
実装形態によっては、第１のＵＥは、たとえば、それが第２のインジケータについて監視すべきであることを示す第１のインジケータをそれが受信したとき、第２のインジケータについて監視し得る。代替または追加として、第１のＵＥはまた、第２のデータが第１のリソース上で送信されるべきでないとき、基地局から第１のインジケータを受信し得る。その場合、第１のインジケータは、それが第２のインジケータについて監視すべきでないことを示す。第２のインジケータは、低レイテンシデータまたはトラフィックインジケータ、プリエンプションインジケータまたはパンクチャリングインジケータと呼ばれることもある。本開示では、これらの用語は互換的に使用される。第２のインジケータは、ユニキャスト送信、またはブロードキャスト送信もしくはマルチキャスト送信などのグループベース送信において第１のＵＥに送信され得る。一実施形態では、第２のインジケータは、ダウンリンク制御チャネルを使用して送信され得る。第２のインジケータは、第２のデータを送信するために使用される第１のリソースの部分または第２のデータが存在する第１の送信の部分を示し得る。示された第１の送信の部分は、コードブロック（ＣＢ）、トランスポートブロック（ＴＢ）、ＣＢのグループ、またはＴＢのグループのうちの１つまたは複数を備え得る。あるいは、示された第１の送信の部分は、第１のリソースの、時間リソース、送信時間単位（ＴＴＵ）、送信時間間隔（ＴＴＩ）、フレーム、サブフレーム、スロット、ミニスロット、シンボル、周波数リソース、リソースブロック（ＲＢ）またはリソースブロックグループ（ＲＢＧ）のうちの１つまたは複数を備え得る。第１のインジケータは、単一ビットまたは複数のビットを備え得る。たとえば、複数のビットの各々は、第１のリソースの特定のリソース上のまたは第１の送信の特定の部分上の第２のデータの存在または不在を示し得る。複数のビットは、第１のリソースの部分の複数の時間リソースもしくは複数の周波数リソースまたは第１のリソースの部分の複数の時間周波数リソースに対応し得る。代替または追加として、複数のビットは、第１の送信の複数のＣＢまたは複数のＴＢに対応し得る。第１のインジケータは、たとえば、第１のリソース上の第２のデータの存在に基づいて選択された、パイロット信号を備え得る。
【００２４】
既存の技術は、指示ベースのダウンリンク（ＤＬ）多重化を利用し得る。レイテンシトレラントトラフィックの進行中の送信中の低レイテンシトラフィック到着についての明示的または暗黙的指示のための可能なシグナリング解決策が有益であり得る。提案される解決策は、レイテンシトレラントトラフィックのコードブロックをインターリーブすることを使用してよく、レイテンシトレラントＴＢマッピングは、より良い共存エクスペリエンスのために更新されてもよい。
【００２５】
低レイテンシリソースはＴＴＵに区分され得る。低レイテンシリソースのＴＴＵは「低レイテンシＴＴＵ」と呼ばれることがある。ＴＴＵは、特定のタイプの送信、たとえば低レイテンシデータ送信のために割り振られることができる時間単位であり得る。送信は、スケジュールされるかまたはスケジュールされないものとすることができる。いくつかの実施形態では、ＴＴＵは、特定のタイプの送信のために割り振られることができる最小の時間単位である。また、ＴＴＵは、ＴＴＩと時々呼ばれる。低レイテンシＴＴＵ、またはミニスロットの期間は、レイテンシトレラントＴＢのスロット中のシンボルの数よりも少ない任意の数のシンボルを含むことができる。ここで、この例では、レイテンシトレラントＴＢはただ１つのスロットにわたると仮定される。しかしながら、概して、レイテンシトレラントＴＢは、１つよりも多いかまたは１つよりも少ないスロットの期間にわたってよく、概して、低レイテンシＵＥに宛てられたＴＢ（または他のデータ単位）が、レイテンシトレラントＵＥのＴＢ（または他のデータ単位）の期間よりも少ない期間を有するとき、プリエンプションまたはパンクチャリングがより有益であり得る。より一般的には、低レイテンシＴＴＵがＮ個のシンボルまたはスロットを含む場合、レイテンシトレラントＴＴＵはＭ個のシンボルまたはスロットにわたることがより有益であることがあり、ただしＭ＞Ｎである。
【００２６】
レイテンシトレラントリソースはスケジューリング間隔に区分されてよく、レイテンシトレラントリソースのスケジューリング間隔は「レイテンシトレラントＵＥスケジューリング間隔」と呼ばれることがある。レイテンシトレラントＵＥスケジューリング間隔は、レイテンシトレラントＵＥへのデータ送信のためにスケジュールされ得る最小の時間間隔である。レイテンシトレラントスケジューリング間隔はレイテンシトレラントＴＴＵと呼ばれることもある。レイテンシトレラントＴＴＵは、数秘学（numerology）の１つまたは複数のスロットにわたり得る。たとえば、レイテンシトレラントＴＴＵは、１５ｋＨｚサブキャリア離間に基づく１４個のシンボルからなる１ｍｓであることができる。スロットが７つのシンボルとして定義された場合、この例では、レイテンシトレラントＴＴＵまたはスケジューリング間隔は２つのスロットにわたる。低レイテンシＴＴＵは、レイテンシトレラントＵＥスケジューリング間隔よりも短い期間を有し得る。低レイテンシリソース中でより短い期間のＴＢを送信することによって、低レイテンシＵＥへのデータ送信のレイテンシが低減され得る。少なくとも１つのＴＢが、レイテンシトレラントＴＴＵまたはレイテンシトレラントＴＴＩまたはスケジューリング間隔中に送信されると仮定される。
【００２７】
いくつかの実施形態では、低レイテンシリソースは、レイテンシトレラントリソースの数秘学とは異なる数秘学を有し、たとえば、低レイテンシリソースのサブキャリア離間は、レイテンシトレラントリソースのサブキャリア離間とは異なる。低レイテンシリソースは、レイテンシトレラントリソースのサブキャリア離間よりも大きいサブキャリア離間を有し得る。たとえば、低レイテンシリソースのサブキャリア離間は６０ｋＨｚであり得、レイテンシトレラントリソースのサブキャリア離間は１５ｋＨｚであり得る。より大きいサブキャリア離間を使用することによって、低レイテンシリソース中の各ＯＦＤＭシンボルの期間は、レイテンシトレラントリソース中の各ＯＦＤＭシンボルの期間よりも短くなり得る。レイテンシトレラントＴＴＵおよび低レイテンシＴＴＵは、同じ数のシンボル、または異なる数のシンボルを含み得る。レイテンシトレラントＴＴＵおよび低レイテンシＴＴＵ中のシンボルは、同じ数秘学、または異なる数秘学を有し得る。ＴＴＵが、数秘学とは無関係に固定数のＯＦＤＭシンボルを有するものとして定義された場合、レイテンシトレラントＵＥスケジューリング間隔中に２つ以上の低レイテンシＴＴＵが送信されることができる。たとえば、レイテンシトレラントＵＥスケジューリング間隔は低レイテンシＴＴＵの整数倍であり得る。レイテンシトレラントＴＴＵおよび／または低レイテンシＴＴＵ中のシンボルの長さは、レイテンシトレラントＴＴＵおよび／または低レイテンシＴＴＵ中のサイクリックプレフィックスの長さを変更することによって変化させられ得る。他の実施形態では、低レイテンシリソースおよびレイテンシトレラントリソースは同じ数秘学を有する。低レイテンシＴＴＵは、その場合、レイテンシトレラントＵＥスケジューリング間隔中のＯＦＤＭシンボルの数と比較してより少数のＯＦＤＭシンボルを有するように定義されてよく、したがって、レイテンシトレラントＵＥスケジューリング間隔内に２つ以上の低レイテンシＴＴＵが依然としてあることになる。たとえば、低レイテンシＴＴＵの期間は、単一のＯＦＤＭシンボルと同じような程度に短くなり得る。また、低レイテンシ送信およびレイテンシトレラント送信は、それらが同じ数秘学を有するか否かにかかわらず、ＴＴＵごとに同じ数のシンボルを有しないことがあることが企図される。異なる数秘学が使用された場合、低レイテンシＴＴＵのシンボルは、同じまたは異なるＣＰオーバーヘッドでレイテンシトレラントＴＴＵの１つまたは複数のシンボルの境界において整合し得る。
【００２８】
ＴＴＵはいくつかのスロット、たとえば２０個のスロットに分割され得る。低レイテンシスロット期間は、レイテンシトレラントスロットまたはロングタームエボリューション（ＬＴＥ）スロット以下であり得る。ミニスロットは、スロット中のシンボルの数よりも少ない任意の数のシンボルを含んでいることがあり、たとえば、スロットが７つのシンボルである場合、１つ、３つ、６つのシンボルを含んでいることがある。
【００２９】
図２は、一実施形態ミニスロットアーキテクチャまたは低レイテンシＴＴＵアーキテクチャを示す。低レイテンシデータ送信または低レイテンシＴＢは、上述のように、低レイテンシＴＴＵにマッピングされる。この例では、ミニスロットは２つのシンボルにわたる。低レイテンシＴＢは、物理制御フォーマットインジケータチャネル（ＰＣＦＩＣＨ）または物理ハイブリッド自動再送要求（ＨＡＲＱ）インジケータチャネル（ＰＨＩＣＨ）を含み得る。ＴＢの期間および低レイテンシＴＴＵは互換的に使用され、上記の例では、低レイテンシＴＴＵはＰＨＩＣＨまたはＰＣＦＩＣＨチャネルを含み得ると仮定されることを理解されたい。あるいは、ＰＣＦＩＣＨおよび／またはＰＨＩＣＨインジケータは低レイテンシＴＢから除外され得る。言い換えれば、これらのチャネルは低レイテンシＴＴＵから除外され得る。低レイテンシＴＢの制御情報は、第１のシンボルに限定されるかまたは第１のシンボル中に配置され得る。低レイテンシトラフィックのための制御情報を含んでいるリソース要素（ＲＥ）は、連続していることも連続していないこともある。低レイテンシ制御情報およびデータのために同じ復調基準信号（ＤＭＲＳ）が使用され得る。言い換えれば、制御情報、データ情報のいずれか、または両方を復号するために同じＤＭＲＳまたはその態様が使用されることができる。ＤＭＲＳを含んでいるＲＥは、制御チャネル、データチャネルのいずれか、または両方の中に配置されることができる。その例では、低レイテンシＴＴＵの制御とデータの両方を復号するために同じＤＭＲＳ構成、たとえば、ポート情報、ＱＣＬが使用されることができる。制御およびデータ復号のために上記で説明されたようにＤＭＲＳを共有することは、復号信頼性を向上させ得る。時間領域グラニュラリティが短いと、複数のリソースブロックは、ミニスロットがスケジュールされたとき、最小リソースグラニュラリティのためにグループ化されることができる。言い換えれば、ミニスロットまたは低レイテンシデータ送信の周波数ドメイングラニュラリティはリソースブロックグループ（ＲＢＧ）であることができる。低レイテンシトラフィックのために割り当てられるＲＢＧ中のシンボルの数は、ミニスロットまたは低レイテンシＴＴＵの期間によって与えられる。ＲＢＧベースのリソース割振りグラニュラリティは、最小グラニュラリティをもつコンパクトダウンリンク制御情報（ＤＣＩ）または１つのＲＢＧに基づき得る。
【００３０】
ＤＭＲＳは、ミニスロット期間にわたってフロントロードされるかまたは分散され得る。物理ダウンリンク制御チャネル（ＰＤＣＣＨ）中の制御チャネル要素（ＣＣＥ）の上位アグリゲーションレベルがサポートされ得、より高い信頼性のためにミニスロットごとにより少数のＵＥがスケジュールされ得る。本開示では、ミニスロットおよび低レイテンシＴＴＵは互換的に使用される。
【００３１】
図３は、ミニスロットの一実施形態構造を示す。低レイテンシミニスロットは、レイテンシトレラントリソースの数秘学とは異なる数秘学を有し得る。低レイテンシデータの送信は、スロットベースまたはミニスロットベースであり得る。たとえば、レイテンシトレラント送信は、２つ以上の低レイテンシ送信を含むのに十分長い時間を有し得る。低レイテンシＴＴＵ期間の例およびレイテンシトレラントＵＥスケジューリング間隔の一例が示される。ｅＭＢＢ制御情報３０２は、単一のスロットまたは連続するスロットのセットの始めに予約され得る。ロングサイクリックプレフィックス（ＣＰ）ｅＭＢＢシンボル３０４は、レギュラーＣＰｅＭＢＢシンボル３１０よりもわずかに長いことがある。ロングＣＰ  ＵＲＬＬＣシンボル３０６は、レギュラーＣＰ  ＵＲＬＬＣシンボル３０８よりもわずかに長いことがある。図３に示されているように、低レイテンシシンボルまたはＵＲＬＬＣシンボルは、レイテンシトレラントシンボルまたはｅＭＢＢシンボルの全帯域幅にわたらないことがある。図３に示されている例示的な時間／周波数リソースでは、特定のリソースパーティションが、レイテンシトレラントＵＥおよび低レイテンシＵＥへの送信のためにスケジュールされる。しかしながら、図示されたリソースパーティションは一例にすぎない。また、時間／周波数リソースに加えて、コード、電力、および／または空間リソースなど、他のリソースがレイテンシトレラントＵＥおよび低レイテンシＵＥへの送信のために割り振られ得る。
【００３２】
図４は、ミニスロットの２つの実施形態開始位置を示す。時間および／または周波数ドメイン中のミニスロットの開始位置は、レイテンシトレラント送信のために使用されるスロット／ＴＴＵのフレーム構造に依存する。フレーム構造は、スロットの制御チャネルフィールド、データチャネルフィールド、および／またはパイロットフィールドからなる。ここで、フィールドは、制御チャネル領域またはデータチャネル領域などの時間周波数領域と呼ばれることもできる。ミニスロットの開始位置は、レイテンシトレラントトラフィックのスロット送信の性能劣化を回避するために、スロットの制御チャネルフィールドおよび／またはパイロットフィールドに直交しなければならない。レイテンシトレラント制御情報４０２が１つのシンボルにわたるか２つのシンボルにわたるかに応じて、レイテンシトレラント制御情報４０２は、レイテンシトレラントスロットの第１のシンボルを完全に占有しないことがある。ミニスロット４０４がレイテンシトレラントスロットの第１のシンボルにおいて開始し得るか、またはレイテンシトレラント制御４０２および基準信号が第１のシンボルを完全に占有し得、ミニスロット４０４が第２のシンボルにおいて開始し得る。他の例も可能である。たとえば、ミニスロットは、それが、先行するスロットの最後の１つまたは複数のシンボルおよび後続のスロットの最初の１つまたは複数のシンボルと重複するように、２つのスロット間の境界と重複し得る。別の実施形態では、進行中のレイテンシトレラント送信は、レイテンシトレラント送信の部分を低レイテンシ送信と交換することによって「パンクチャリング」され得る（図４に示されていない）。あるいは、パンクチャリングの代わりに、レイテンシトレラント送信および低レイテンシ送信は、同じ時間周波数リソース上で重畳され、このようにして、任意選択で、それの対応する送信を各対象の受信機が識別し復号するための電力オフセットまたは他の適切な方法と共存し得る。パンクチャリングされたレイテンシトレラントＴＢのための本明細書で説明されるシグナリング方法は、重畳された低レイテンシ送信およびレイテンシトレラント送信を示すためにも使用され得る。
【００３３】
以下の説明では低レイテンシトラフィックのためのミニスロットベースの送信を仮定することがあるが、本発明で説明される指示ベースの多重化の方法は、低レイテンシトラフィックの送信の他の形態に適用可能であることができることが企図され、たとえば、低レイテンシトラフィックは、数秘学のミニスロット、スロット、またはミニスロットもしくはスロットのアグリゲーションを使用して送信されることができる。
【００３４】
低レイテンシトラフィック到着／存在の指示は、いずれかの送信タイプにおける制御シグナリングのために通常予約されたリソースを介してシグナリングされるか、またはレイテンシトレラントＴＢ内のデータのために本来なら割り振られるはずであったリソース内で追加の制御シグナリングを送信することによってシグナリングされ得る。低レイテンシトラフィックインジケータが、制御シグナリングのために予約されたリソースを介してシグナリングされるとき、シグナリングされるインジケータは、データ送信のために使用されないスロットのいくつかのシンボル中に構成された制御チャネル領域または制御リソースセット内で提供されると仮定される。低レイテンシトラフィックインジケータが、データのために割り振られることができるリソースを介してシグナリングされるとき、インジケータは、その上、データ送信のために使用されることができるスロットのいくつかのシンボル中に構成された制御チャネルまたは制御リソースセット中で送信されると仮定される。たとえば、低レイテンシトラフィック（たとえば、ＵＲＬＬＣトラフィック）が到着したとき、低レイテンシトラフィックおよびレイテンシトレラントトラフィックを示すために異なる制御メッセージが使用され得る。あるいは、レイテンシトレラントＵＥスケジューリング間隔の終わりに低レイテンシトラフィックおよびレイテンシトレラントトラフィックを示すために単一の制御メッセージが使用され得る。低レイテンシトラフィックのシグナリングは明示的または暗黙的であり得る。明示的指示では、（たとえば、１つのシンボル内に含まれているかまたは複数の連続もしくは不連続シンボルにわたる）いくつかのＲＥがシグナリングのために使用され得る。一実施形態では、ＵＲＬＬＣ送信がその中で行われるレイテンシトレラントトラフィックまたはｅＭＢＢシンボルの１つまたは複数のＲＥがシグナリングのために使用され得る。ＵＲＬＬＣミニスロットは、スケジューリングのためにそれらのＲＥを使用することを回避し得、たとえば、ＵＲＬＬＣトラフィックは、残りのＲＥのためにレートマッチングされ得る。別の実施形態では、シグナリングを含んでいるＲＥは、ＵＲＬＬＣミニスロットリソースと重複しない。たとえば、シグナリングを含んでいるＲＥは、ミニスロットを含んでいるシンボルとは異なる時間周波数リソースに対応し得る。ここで、それは、低レイテンシトラフィックインジケータシグナリングが提供される時間周波数リソースが、低レイテンシ送信が行われる時間周波数リソースの外部にあり得ることを暗示する。低レイテンシトラフィックおよびｅＭＢＢパイロット信号の存在を示すシグナリングは、異なるリソースにわたってスケジュールされ得る。あるいは、低レイテンシトラフィックの存在を示すシグナリングは、ｅＭＢＢパイロット信号を含んでいる１つまたは複数のシンボル中ではスケジュールされるが、ｅＭＢＢパイロット信号を含んでいるＲＥ中ではスケジュールされないことがあり、たとえば、ｅＭＢＢパイロット信号を含んでいる同じシンボルは、指示シグナリングを同じく含んでいることがあるが、ＲＥへの指示シグナリングおよびｅＭＢＢパイロット信号のマッピングは直交であり得る。さらに別の代替形態として、ミニスロットシグナリングが、ｅＭＢＢパイロット信号を含んでいるＲＥ中でスケジュールされ得る。ミニスロットシグナリングが、ｅＭＢＢパイロット信号と同じ時間周波数リソースを介して送られるとき、ミニスロットシグナリングおよびｅＭＢＢパイロット信号は、各受信機が、それに宛てられた送信を識別し復号することができるように、（たとえば、直交カバーコードを使用して）コードドメインにおいてまたは空間多重化を通して直交であり得る。ここで、ミニスロットシグナリングによって、ミニスロット／低レイテンシデータの存在の指示シグナリングは、ｅＭＢＢパイロット信号とともに重複する様式で送信されることができることが暗示される。
【００３５】
あるいは、ｅＭＢＢ間隔／ＴＴＵの終端におけるｅＭＢＢシンボルの１つまたは複数のＲＥは、全間隔中のＵＲＬＬＣ到着の情報を収集するために使用され得る。図７Ｄに示されている収集インジケータ７１２など、収集指示のために使用されるＲＥは、レギュラーｅＭＢＢデータをパンクチャリングすることがあり、これは、他のパンクチャリングされたデータとともに後で送信され得る。
【００３６】
暗黙的指示では、ＵＲＬＬＣトラフィックの存在の指示のために、既存のｅＭＢＢ制御、ＵＲＬＬＣ制御、ＤＭＲＳ、および／または他のシグナリングが使用され得る。ミニスロットリソースまたはｅＭＢＢスロットリソース（たとえば、ｅＭＢＢパイロット信号）のいずれかが利用され得る。たとえば、ミニスロット制御および／またはＤＭＲＳ（の一部）が、可能な指示についてｅＭＢＢ  ＵＥによってブラインド検出され得る。ｅＭＢＢトラフィックが、複数のアグリゲートされたスロット中でスケジュールされた場合、各スロット中で、ＤＭＲＳは、そのスロットが低レイテンシ送信を含んでいるか否かをシグナリングし得る。低レイテンシトラフィックの存在を示すために異なるＤＭＲＳシーケンスまたはＤＭＲＳパターンが使用され得る。たとえばレイテンシトレラント送信の各ＴＴＵ／スロットにおいて、ＤＭＲＳシーケンスは、低レイテンシトラフィックが存在するか否かに基づいて基地局によって選定される。レイテンシトレラント受信機は、どのシーケンスが送られたかをブラインド検出する。別の例では、低レイテンシトラフィックが到着した場合、ＤＭＲＳの異なるパターンが送られることができる。
【００３７】
図５Ａは、ミニスロットトラフィック、すなわち、低レイテンシトラフィックの明示的ポスト指示のための一実施形態を示す。以下で述べられるように、指示は、ＵＥ固有またはグループ共通（すなわち、ブロードキャスト／マルチキャスト）であることができる。この例では、ミニスロット５０２期間は事前構成されるおよび／または静的である。ミニスロットの開始位置も事前構成される。ここで、それは、低レイテンシトラフィックが、スロット内のいくつかの事前構成されたロケーションに到着し得ることを暗示する。インジケータシーケンス５０６は、ミニスロットシグナリングのために予約された時間および周波数リソースを識別し得る。ここで、それは、指示シグナリングが、構成された時間周波数リソースのうちのどれが実際に低レイテンシデータ送信のために使用されるかに関する情報を提供し得ることを暗示する。本例では指示シーケンスに言及されているが、それは、低レイテンシデータの存在を示す第２のインジケータの一例である。上述のように、第２のインジケータは低レイテンシトラフィックまたはプリエンプションインジケータと呼ばれることもできる。例に戻ると、レイテンシトレラントトランスポートブロックが、周波数におけるミニスロットグラニュラリティ数のｘと、時間におけるミニスロットグラニュラリティ数のｙとにわたる場合、ポスト指示は、どの時間周波数エリアがプリエンプトされたかを識別するためにビット数のｘｙを含んでいることがある。オーバーヘッドが心配である場合、時間および／または周波数ドメインプリエンプション情報のみが搬送されることができる。上記の例によれば、時間（周波数）ドメインプリエンプション情報が提供された場合のみ、ポスト指示はｘビット（ｙビット）を含んでいることがある。別の例では、いくつかの時間周波数リソースがグループ化されることができ、グループベースのプリエンプション指示が提供されることができ、それは、レイテンシトレラントトランスポートブロック内のすべての時間周波数リソースグラニュラリティの情報が搬送されるときの場合と比較してより少ないビット数を必要とし得る。上述のように、時間におけるミニスロットグラニュラリティはシンボルであることができるが、周波数では、それはＲＢＧであることができる。ミニスロットは一例として使用され、より一般的には、複数の低レイテンシＴＴＵがレイテンシトレラントＴＴＵの期間内に存在してよく、指示の時間領域グラニュラリティは、低レイテンシＴＴＵの１つまたはグループに基づくことができることを理解されたい。間隔の終端においてが、ロケーションの一例として使用されたことに留意されたく、指示シグナリングの内容、すなわち、プリエンプションが行われることができるエリアに対応するｘｙビットは汎用的であり、指示シグナリングは、少なくとも１つのプリエンプションイベントが起きた後のどのようなシンボル中にも配置されることができることを理解されたい。たとえば、影響を受けたレイテンシトレラント間隔の後に提供される指示シグナリングは、影響を受けたレイテンシトレラント間隔中に起きたプリエンプションイベントに対応するｘｙビットを含んでいることがある。
【００３８】
図５Ｂは、レイテンシトレラントコードブロックマッピングの一実施形態を示す。この例では、低レイテンシトラフィックおよびレイテンシトレラントトラフィックをスケジュールするために利用可能な最小周波数領域グラニュラリティは同じである。これは、低レイテンシトラフィックが単一のレイテンシトレラントＴＢの境界内にスケジュールされることを可能にし、それにより、低レイテンシ送信が単一のレイテンシトレラントＴＢのみに影響を及ぼすことを保証することによってシグナリングオーバーヘッドを低減することができる。対照的に、図６に示されているように、２つ以上のレイテンシトレラントＴＢと部分的に重複する低レイテンシ送信は、各影響を受けたレイテンシトレラントＴＢ中のシグナリングを必要とする。
【００３９】
図５Ｂは、低レイテンシトラフィックの一実施形態指示を示す。この例もポスト指示の例である。１つのフィールドは、パンクチャリングされたＣＢの数を示すために利用され得る。この例では、ｅＭＢＢ  ＣＢがパンクチャリングされる。これは、パンクチャリングされたｅＭＢＢ  ＣＢが後で送信される方式のためにより好適であり得る。レイテンシトレラントＴＴＵは整数個のミニスロットに細分されることができる。さらなる量子化レベル、たとえば、２５％パンクチャリングされたＣＢ、５０％パンクチャリングされたＣＢなども可能であり得る。パンクチャリングのレベルのために追加の指示フィールドが使用され得る。レイテンシトレラントＴＢ全体についての、またはレイテンシトレラントＴＢの個々の部分における、ＵＲＬＬＣの存在もしくは不在、またはＵＲＬＬＣのしきい値量の存在もしくは不在を示すために、単一ビット指示が使用され得る。シグナリングは、送信のための低レイテンシトラフィックの到着時に、低レイテンシトラフィックの送信のために使用される時間周波数リソース中に、影響を受けたレイテンシトレラントＴＢの終端において、または任意の他の好適な時間に送信され得る。
【００４０】
キャリアＢＷ中で、いくつかのリソースは、レイテンシトレラントトラフィックのために予約済みであり得、いくつかのリソースは、レイテンシトレラントトラフィックと低レイテンシトラフィックの両方による使用のために利用可能な共存領域中にあることが可能である。レイテンシトレラントトラフィックは、レイテンシトレラントトラフィックが共存領域中にスケジュールされるかどうかをシグナリングするための、ダウンリンク制御情報フィールド中の１つまたは複数の指示ビットを受信し得る。レイテンシトレラントトラフィックが共存領域中にスケジュールされることを指示がシグナリングした場合、レイテンシトレラントトラフィックを受信しているＵＥは、それの送信中にＵＲＬＬＣ存在の指示について監視することになり、そうでない場合、それは電力を温存することができ、それの送信中にさらなる指示について監視しなくなる。
【００４１】
図７Ｅは、ある時間期間中にまたはある周波数帯域中にＵＲＬＬＣサービスがあるかどうかを、すなわち、ｅＭＢＢ  ＵＥがＵＲＬＬＣトラフィックの存在により低レイテンシトラフィックインジケータについて監視する必要があるかどうかをｅＭＢＢ  ＵＥにシグナリングするためにインジケータを使用する一例を示す。ある時間期間中にまたはある周波数帯域中にＵＲＬＬＣサービスがない場合、その時間周波数領域中では、ｅＭＢＢ  ＵＥは、低レイテンシ制御シグナリングについて監視するかまたはそれの復号処理中に起こり得るパンクチャリングを考慮することが不要であり得る。ＵＲＬＬＣサービスがある場合、ｅＭＢＢ  ＵＥは共存（またはパンクチャレディ）モードで機能し得、それは、パンクチャリングされた受信ＴＢを復号することが可能であることを伴い得る。この指示は、たとえば、上位レイヤシグナリング（無線リソース制御（ＲＲＣ））または動的物理レイヤシグナリングを使用して、明示的であることができる。それは、たとえば、異なるＤＭＲＳパターンを使用して、暗黙的であることもできる。第１のＤＭＲＳパターンはＵＲＬＬＣトラフィックなしを示すことがあり、第２のＤＭＲＳパターンはＵＲＬＬＣトラフィックの可能性を示すことがあり、したがってパンクチャリングされたｅＭＢＢ情報のハンドリングが使用され得る。それはまた、サブバンド分割を介して行われ得る。一方のサブバンドはｅＭＢＢのみであり、他方のサブバンドはｅＭＢＢ＋ＵＲＬＬＣである。この指示の利益は、ある時間期間中にまたはある周波数帯域中にＵＲＬＬＣトラフィックがない場合、ｅＭＢＢ  ＵＥの処理オーバーヘッドを節約することである。
【００４２】
一例では、低レイテンシトラフィックインジケータについて監視するようにＵＥを構成するために、構成インジケータなどの第１のインジケータが、ＲＲＣシグナリングを介してｅＭＢＢ  ＵＥにシグナリングされる。ｅＭＢＢ  ＵＥが低レイテンシトラフィックインジケータについて監視する必要があることをそれに通知することに加えて、低レイテンシトラフィックインジケータ監視のためにｅＭＢＢ  ＵＥを構成するための１つまたは複数のパラメータが構成インジケータ中に含まれ得る。パラメータの例は、ａ）低レイテンシトラフィックインジケータを監視するための監視間隔、ｂ）低レイテンシインジケータの内容のために使用される時間グラニュラリティ（たとえば、シンボルもしくはスロットの数）および／または周波数グラニュラリティ（たとえば、ＲＢＧもしくはキャリア帯域幅のパート）、ｃ）低レイテンシトラフィックインジケータが監視される必要がある時間周波数リソースセットまたは制御リソースセット、ｄ）低レイテンシトラフィックインジケータのタイプ、すなわち、ＵＥ固有またはグループ共通、ｅ）低レイテンシトラフィックインジケータが対応する時間および／またはキャリア帯域幅のパート、またはｆ）低レイテンシトラフィックインジケータを含んでいるＰＤＣＣＨのＲＮＴＩ情報、のうちの１つまたは複数を含む。別の例では、これらのパラメータのすべては、一緒にグループ化され、一度にｅＭＢＢ  ＵＥに送られ得るか、またはそれらは、シグナリングの異なる段階においてもしくは別個のシグナリングメッセージ中でＵＥに通知されることができ、たとえば、パラメータのうちの１つまたは複数は、ＵＥ固有もしくはセル固有ＲＲＣシグナリング、システム情報、ＭＡＣ  ＣＥ、またはダウンリンク物理レイヤシグナリングのうちの１つまたは複数によって通知されることができる。さらに別の例では、低レイテンシトラフィックインジケータ監視のための構成の１つまたは複数のパラメータは数秘学固有であることができる。たとえば、６０ｋＨｚ  ＳＣＳが使用される場合、低レイテンシトラフィックインジケータのための時間単位はｘ個のスロット、ｘ≧１であることができるが、１５ｋＨｚ  ＳＣＳが使用される場合、時間単位はｘ個のシンボル、ｘ≧１であることができる。シンボル／スロットに換算した時間単位および／または監視間隔は、送信のために使用される数秘学に基づいて暗黙的に導出され得る。一例では、周波数グラニュラリティ、たとえば、ＲＢＧサイズまたは帯域幅の部分、および時間グラニュラリティ、たとえば、シンボルは、インジケータによってアドレス指定された帯域幅パートおよびインジケータの監視間隔／周期性の構成から取得され得る。
【００４３】
上記の実施形態は、レイテンシトレラントＴＢ内のミニスロットの固定ミニスロット長および／または固定開始位置、すなわち、レイテンシトレラントＴＢがわたる期間に関係した。別の実施形態では、図７Ｂに示されているように、異なるミニスロット長が使用され得る。たとえば、セルエッジにおける低レイテンシトラフィックは、セル中心の近くの低レイテンシトラフィックをサービスするために使用されるミニスロットよりも長いミニスロットでサービスされ得る。基地局は、いつ低レイテンシトラフィックが到着するかに応じてミニスロット長を動的にスケジュールし得、ミニスロットは、ＴＢ境界内のどのようなシンボルにおいても開始し得るが、ＴＢ境界を横断することも横断しないこともある。ここで、ＴＢ境界によって、レイテンシトレラントＴＴＵ／間隔の境界が暗示される。
【００４４】
一実施形態では、レイテンシトレラントトラフィックの再送信は、異なる数秘学をもつ別のサブバンド中で行われ得る。たとえば、レイテンシトレラントトラフィックの初期送信は、６０ｋＨｚサブキャリア離間をもつサブバンド中の共存領域中で行われ、再送信は、１５ｋＨｚサブキャリア離間をもつ異なるサブバンド中で行われる。
【００４５】
到着時明示的指示
固定ミニスロット長および開始位置
図７Ａを参照すると、一実施形態では、各ミニスロット７０４期間中の１つまたは複数のＲＥは、低レイテンシトラフィックの存在または不在の明示的シグナリングのために使用されることができる。上述のように、シグナリングＲＥは、ミニスロットの１つのシンボル内に含まれているかまたはミニスロットの複数のシンボルにわたり得る。１つのオプションは、低レイテンシ送信が行われるリソースを使用してシグナリングすることである。しかしながら、レイテンシトレラントトラフィックのトランスポートブロックの占有されるＢＷおよび周波数におけるミニスロットグラニュラリティによっては、シグナリング探索空間は、レイテンシトレラントＵＥにとって望ましくなく大きくなることがあり、シグナリングはスペクトル効率の損失を引き起こし得る。代わりに、事前構成されたロケーション中のいくつかのＲＥは、そのミニスロット期間の間、パンクチャリングされた情報のシグナリングを含んでいることがある。ＲＥはシグナリングのために予約されていることがあるか、または受信機は、それらのＲＥがシグナリングまたはデータを含んでいるかどうかをブラインド検出し得る。たとえば、指示７０８はわずか１ビットであり得、そのミニスロット中の低レイテンシトラフィックの存在または不在を示す。別の例では、シグナリングは、レイテンシトレラントトラフィックによって占有されるＢＷと完全にまたは部分的に重複するミニスロットの数と同じような多くのビットを含むことができ、各シグナリングビットは、対応するミニスロット中の低レイテンシデータの存在を示すことができる。別の例では、シグナリングは、パンクチャリングされるＣＢごとに１ビットを含んでいることがある。例はまた、粗いシグナリングを含むことができ、たとえば各ビットは、複数のミニスロットに対応する周波数範囲にわたり得るＣＢのグループまたはＲＥのグループに対応する。各ミニスロットインスタンスは、レイテンシトレラントＵＥにシグナリングするために、対応する事前構成されたリソースを有し得る。たとえば、ミニスロットが、長さが２つのシンボルであり、７つのシンボルのスロット内の第２、第４、または第６のシンボルにおいて開始することができ、レイテンシトレラントトラフィックが１０個のＲＢでスケジュールされた場合、１つまたは複数のＲＢの１つまたは複数のサブキャリアは、各潜在的なミニスロット出現のためのシグナリングを含むように構成され得る。一例では、レイテンシトレラントスロットの第２のシンボル、第４のシンボル、および第６のシンボルの各々中のＲＢの１つまたは複数のサブキャリアは、第２および第３のシンボル、第４および第５のシンボル、ならびに第６および第７のシンボルをそれぞれ占有しているミニスロットのためのシグナリング情報を含んでいることがある。
【００４６】
フレキシブルなミニスロット長および開始位置
図７Ｂ〜図７Ｃに示されているように、複数のミニスロット長が共存し、および／または図７Ｃに示されているように、ミニスロットの開始時間がフレキシブルである場合、ミニスロットの正確な時間周波数リソースのシグナリングは、望ましくなく大きいシグナリングオーバーヘッドを必要とすることがある。図７Ｂでは、複数の長さのミニスロットが共存することが示されているが、ミニスロットの開始ロケーションは固定である。ここで、インジケータはミニスロット長情報を（明示的または暗黙的に）含んでいることがある。たとえば、第４のシンボルにおける事前構成されたロケーションにおけるインジケータは、２ではなく、４のミニスロット長が使用されることをｅＭＢＢ  ＵＥに通知する。図７Ｃを参照すると、レイテンシトレラントトラフィック受信機は、事前構成されたロケーションにおけるシグナリングについて監視することがあり、これは、シグナリングが参照するミニスロットのロケーションに対応しないことがある。たとえば、レイテンシトレラントトラフィックのＣＢがどのように時間周波数リソースにマッピングされるかに応じて、シグナリングはＣＢベースとすることができる。図７Ａでは、各ＣＢマッピングは２つのシンボルにわたる。レイテンシトレラントＵＥは、それのＣＢのうちのいずれかが部分的にまたは完全にプリエンプトされるかどうかを判定するために、２つのシンボルごとにシグナリングについて監視し得る。ミニスロット期間は、ＣＢ期間と整合することも整合しないこともある。たとえば、ミニスロットは３つのシンボルにわたり得る。２つのシンボルごとのシグナリングは、異なるタイプのパンクチャリングされた情報を提供することがある。一例では、シグナリングは、何らかのパンクチャリングが行われたか否かを示す、単一ビットとすることができる。別の例では、シグナリングは、低レイテンシトラフィックによっていくつのＣＢが影響を受けるかを示すことができる。増加されたオーバーヘッドという犠牲を払って、各影響を受けたＣＢのどのくらいがパンクチャリングされるかなど、追加の情報をシグナリングすることができる。
【００４７】
図７Ｄに示されているような別の実施形態では、（グループ共通指示とも呼ばれる）ブロードキャストおよび／またはマルチキャスト指示を送ってもよく、これは暗黙的または明示的とすることができる。ブロードキャストおよび／またはマルチキャスト指示ロケーションは、１つまたは複数のｅＭＢＢ  ＵＥのためにスケジュールされた時間周波数リソースの外部であり得る。指示は、時間ブロックごとにまたはスケジューリング間隔の終端に現れることができる。１つの時間ブロックまたはトランスポートブロックは１つまたは複数のシンボルにわたり得る。インジケータは、周波数において連続しているかまたは分散されているものとすることができる。インジケータは、時間ブロック内の１つまたは複数のシンボルにもわたり得る。ここで、時間ブロックは、ミニスロット期間を表すことも表さないこともあり、すなわち、ミニスロット境界は時間ブロックと整合することも整合しないこともある。上記の議論と同様におよび図７Ｄから理解することができるように、ブロードキャストまたはマルチキャスト指示の内容は、時間周波数領域をアドレス指定し、時間周波数領域または共存領域、すなわち、（たとえば、シンボルでの）時間および（たとえば、ＲＢＧまたはＨｚでの）周波数帯域に対応するプリエンプション情報を提供するｘｙまたはより一般的には整数のビット数を備え得る。周波数グラニュラリティについて、ＲＢＧは、ブロードキャスト／マルチキャスト指示によってアドレス指定された周波数領域中の所与の数秘学に基づくことができる。あるいは、周波数グラニュラリティは、所与の数秘学のためにブロードキャスト／マルチキャスト指示によってアドレス指定された（Ｈｚでの）周波数帯域の部分または帯域幅パートとすることができる。数秘学は、ｅＭＢＢ数秘学もしくはＵＲＬＬＣ数秘学または任意の他の数秘学、たとえば、参照数秘学（たとえば、１５ｋＨｚ／３０ｋＨｚ／６０ｋＨｚなど）とすることができる。図７Ａ〜図７Ｃと同様に、ブロードキャスト／マルチキャスト指示は、指示を監視しているｅＭＢＢ  ＵＥに知られる事前構成された時間周波数リソース中で搬送されることができる。送られた１つのグループ共通指示がある場合、それは、両方のトラフィックがスケジュールされることができる共存領域に対応し得る。ここで述べられたブロードキャスト／マルチキャスト指示の内容を、ＵＥ固有指示の場合に適用可能としてもよいことに留意されたい。一実施形態において、図７Ａ〜図７ＣはＵＥ固有指示の例を示している。
【００４８】
図８は、ＴＢ中のレイテンシトレラントトラフィックのためのリソースの一実施形態動的割振りを示す。単一の前方誤り訂正（ＦＥＣ）ビットのために、レイテンシトレラントデータのシステマティックビットとパリティビットとのマッピングが動的に更新され得る。システマティックビットは、共存領域中のパリティビットよりも低レイテンシトラフィックを含む可能性が少ないリソースを介して送信され得る。システマティックビットは、受信された送信を復号するのにより有用であるので、システマティックビットよりもパリティビットをパンクチャリングすることが有益である。ｅＭＢＢ  ＵＥは、復号のために再順序付けビットの明示的シグナリングを必要とすることも必要しないこともある。ＵＲＬＬＣ指示および割り振られたコードレートに基づいて、ｅＭＢＢ  ＵＥは、受信されたビットの適切な順序付けを判定し、どのビット／リソースがパンクチャリングされたかを決定し得る。あるいは、基地局が、たとえば、スケジューリング間隔の終端において、シグナリングにおいてビットの順序を示し得る。
【００４９】
図９Ａは、基地局またはｅＮＢによって実施され得る、低レイテンシトラフィックをシグナリングするための実施形態方法９００を示す。図示のように、方法９００はステップ９１０において開始し、基地局が、第１のリソース上で第１のＵＥへの第１のデータの第１の送信をスケジュールする。その後、方法９００はステップ９２０に進み、基地局は、第１のリソースの少なくとも部分上で第２のＵＥに第２のデータを送信する。続いて、方法９００はステップ９３０に進み、基地局は、第１のリソース上でスケジュールされた第１の送信が修正されることを第１のＵＥにシグナリングする。シグナリングは、第１のリソース上の第２のデータの存在を示し得る。
【００５０】
図９Ｂは、第１のＵＥによって実施され得る、低レイテンシトラフィックをシグナリングするための別の実施形態方法９４０を示す。図示のように、方法９４０はステップ９５０において開始し、第１のＵＥが、第１のリソース上で基地局（ＢＳ）から第１のデータの第１の送信のスケジューリングを受信する。その後、方法９４０はステップ９６０に進み、第１のＵＥは、第１のリソース上でスケジュールされた第１の送信が修正されることを示す信号を受信する。シグナリングは、第１のリソースの少なくとも部分上で第２のＵＥに送信される第１のリソース上の第２のデータの存在を示し得る。続いて、方法９４０はステップ９６２に進み、第１のＵＥは、スケジューリング情報および信号に基づいて第１の送信を復号する。
【００５１】
図９Ｃは、低レイテンシトラフィックをシグナリングするための実施形態方法９７０を示す。図示のように、方法９７０はステップ９８０において開始し、基地局がレイテンシトレラントＴＢを送信する。その後、方法９７０はステップ９９０に進み、基地局は低レイテンシＴＢを送信する。低レイテンシＴＢは、たとえば、時間および周波数において、レイテンシトレラントＴＢと重複し得る。低レイテンシＴＢは複数のミニスロットを備え得る。ミニスロットは、レイテンシトレラントＴＢのスロットよりも少数のシンボルにわたり得る。ステップ９９２において、基地局は、リソース要素（ＲＥ）を介して低レイテンシＴＢの制御情報をシグナリングする。
【００５２】
指示および予約済みリソース／制御領域
新しい無線（ＮＲ）フレーム構造では、サブフレーム中のどのようなシンボルも、ダウンリンク制御シグナリングがＵＥの１つまたはグループに送られる制御領域または制御リソースセットを有し得る。さらに、転送互換性のために、サブフレーム内のいくつかのシンボルまたは時間周波数リソースが予約済みであり、制御および／またはデータ送信のために使用されないことがある。その上、たとえば、ＵＥが、（たとえば、スケジューリング許可が提供される）１つのＲＦ  ＢＷから（たとえば、リソースがデータ送信のために割り当てられた）別のＲＦ  ＢＷに切り替わるとき、間隔の時間部分は送信のために使用されないことがある。ＵＲＬＬＣ送信は、ｅＭＢＢ送信の未使用時間部分中に行われ得るが、ｅＭＢＢ  ＵＥは、プリエンプションが行われないときにこれを通知されることが不要であり得る。
【００５３】
構成されたときに、シグナリングされるプリエンプション指示（たとえば低レイテンシトラフィックインジケータ、プリエンプションインジケータまたはパンクチャリングインジケータ）は、プリエンプションまたはパンクチャリングが起きた時間および／または周波数リソースに関する情報を提供し、進行中のｅＭＢＢ  ＵＥトラフィックのいくつかのリソースは、（プリエンプトされ）ＵＲＬＬＣ送信のために使用される。たとえば、１つの指示信号をｘ個のシンボルごとに送ることができ、それは、プリエンプションが行われ得る最後または次のｋ（たとえば、ｋ＜＝ｘ個のシンボル）内の時間および／または周波数領域に対応する。ｋ個のシンボルの期間は、構成された何らかの制御領域または予約済みリソースを有し得る。またはいくつかのロケーションが、基準信号（ＲＳ）または何らかの未使用時間部分のために予約され得る。いくつかの実施形態では、ＵＲＬＬＣ送信は、それらの時間周波数リソースと重複してスケジュールされることもスケジュールされないこともある。
【００５４】
（上位レイヤ）構成シグナリングまたはシステム情報は、制御領域、予約済みリソース、またはＲＳのうちの１つまたは複数のロケーションをＵＥに通知し得る。このシグナリング（たとえば構成インジケータ）によって示される時間周波数リソースは、送信のために本来なら使用されない領域を含めるかまたは除外し得る。以下の実施形態では、ＵＲＬＬＣ送信が回避される領域の一例として予約済みリソースが使用されるが、それは、何らかの制御領域およびＲＳなど、ＵＲＬＬＣ送信のために本来なら免除されるいずれかの領域を考慮するように拡張されることができることを理解されたい。
【００５５】
一例では、指示のビットマップまたは内容は、予約済みリソースを含む時間周波数領域に対応し得る。指示によって提供される予約済みリソースおよび情報の上位レイヤシグナリングに基づいて、ｅＭＢＢ  ＵＥは、ＵＲＬＬＣ送信によってどのエリアが実際に影響を受けるかまたはプリエンプトされるかを識別する。図１０Ａには、２つの周波数パーティションおよび３つの時間パーティション１００１〜１００６に分割された時間周波数領域に対応するプリエンプション指示の一例が示されている。６つの下位領域および６ビット指示があり、各ビットは、特定の下位領域に対応し、ＵＲＬＬＣデータの存在もしくは不在、または下位領域がプリエンプトされるか否かを示す。理解することができるように、第１の周波数パーティション１００７は予約済みリソース１００１〜１００３を含む。プリエンプションは、両方の周波数パーティション中の第２の時間パーティション中に行われた。この例では、プリエンプション指示は、それらの下位領域中のプリエンプションイベントを通知する。しかしながら、ｅＭＢＢ  ＵＥが（たとえば、構成インジケータを介してシグナリングされたので）予約済みリソースのロケーションにあらかじめ気づいていると、それがｅＭＢＢ送信を復号するためにプリエンプション情報を考慮するとき、予約済みエリアは除外される。一例では、第１の周波数パーティションはＭ＞Ｌ個のＰＲＢであるが、予約済みリソースはＬ個のＰＲＢにわたる。図１０Ｂには、領域が３つの時間グラニュラリティ／パーティション１００８〜１０１０に区分される同様の例が示されている。第２のパーティション１００９は、それの中に構成された、いくつかの予約済みエリアを有する。第２のパーティション１００９が影響を受ける／プリエンプトされることが示されたとき、ｅＭＢＢ  ＵＥは、構成された予約済みエリアを除外し、そのパーティションの部分の残りが影響を受ける／プリエンプトされると仮定する。
【００５６】
別の例では、プリエンプション指示のビットマップまたは内容は、予約済みリソースを除外する時間周波数領域に対応し得る。図１０Ｃには、周波数リソースが３つの領域１０１１〜１０１３に区分される一例が示されており、１つの領域が予約済みリソースを含んでいる。ここで、指示シグナリング（たとえば構成インジケータ）は、１０１１および１０１３としてインデックス付けされた、他の２つの周波数パーティションについてのプリエンプション情報を提供する。３つのパーティション１０１１〜１０１３があるが、指示シグナリングは、２つの周波数パーティション１０１１および１０１３のみに対応する。図１０Ｃでは、２つの周波数パーティション１０１１および１０１３ならびに３つの時間パーティション１０１４〜１０１６が指示シグナリングのために考慮される。概して、指示シグナリングの内容を備える時間パーティションおよび／または周波数パーティションは、連続であることも連続でないこともある。
【００５７】
図１０Ｄに示されている別の例では、ｅＭＢＢ間隔またはいずれかの期間の何らかのシンボル／領域は、ＵＲＬＬＣ送信のために使用されない。それらのシンボルは予約済みリソース／制御領域／ＲＳを含んでいることがある。たとえば、ＣＯＲＥＳＥＴがプリエンプトされないことがあり、ＣＯＲＥＳＥＴ領域が予約されることもある。示される時間周波数リソースは、ＣＯＲＥＳＥＴの領域を含むことも含まないこともある。特に、構成時間および／または周波数グラニュラリティまたは分割はＣＯＲＥＳＥＴ領域を除外し得る。この場合、指示のために必要とされるビット数は、ＣＯＲＥＳＥＴを除いて得られた時間周波数リソースに基づき得る。図１０Ｄに示されているように、いくつかの時間パーティションは「×」として識別され、これらは指示の内容中に含まれない。１０１７および１０１８とインデックス付けされた２つのパーティションがシグナリングのために考慮されるだけである。指示が、ＣＯＲＥＳＥＴまたは予約済みリソースを含む時間周波数プリエンプション情報を提供するように構成されるかどうかは、ＲＲＣシグナリングを介して通知され得る。
【００５８】
指示シグナリングのｅＭＢＢ帯域幅パートおよび構成
ｅＭＢＢ  ＵＥは、１つまたは複数の帯域幅パート候補で構成され得る。送信中に、構成された帯域幅パートのうちの１つまたは複数がアクティブにされる。帯域幅パート構成は、ＲＲＣなどの上位レイヤシグナリングによってｅＭＢＢ  ＵＥに提供され得る。一例では、ｅＭＢＢ  ＵＥがプリエンプション指示を監視する必要があるかどうかは、送信のためにどの帯域幅パートが使用されているかに基づくことができる。帯域幅パートの構成はプリエンプション指示の構成を含み得る。プリエンプション指示の構成は、１）ＵＥが指示を監視する必要があるかどうか、２）指示の監視間隔および／または時間周波数ロケーションは何であるか、３）指示の内容またはその内容のビットマップを構成する時間および／もしくは周波数グラニュラリティの構成、４）指示のタイプ、たとえば、指示の内容がＵＥ固有であるかグループ共通であるか、および／またはそれがグループ共通である場合、ＵＥが、共通指示内の関係するプリエンプション情報をどのように発見するか、のうちの１つまたは複数を含み得る。
【００５９】
一例では、ｅＭＢＢ  ＵＥは、２つの帯域幅パートＡおよびＢで構成される。帯域幅パート構成Ａが使用される場合、ＵＥは、それの送信がプリエンプトされることが可能であり、それが指示を監視する必要があると仮定する。帯域幅パート構成Ｂが使用される場合、ＵＥは、それの送信がプリエンプションを免除され、それが指示を監視する必要がないと仮定する。別の例では、プリエンプション指示の構成は、上位レイヤシグナリングによってＵＥに別個に提供され、帯域幅パート構成中には含まれない。
【００６０】
別の例では、ｅＭＢＢ  ＵＥは、１つまたは複数の帯域幅パートで構成される。スケジューリング情報および／またはデータが送信されたアクティブな帯域幅パートは、低レイテンシトラフィックインジケータが送られるＰＤＣＣＨのＣＯＲＥＳＥＴを含んでいることも含んでいないこともある。あるいは、低レイテンシトラフィックインジケータのＣＯＲＥＳＥＴは、スケジューリング許可および／またはデータ送信のために使用されるものとは別個に構成された１つまたは複数の帯域幅パート中で監視され得る。いくつかのｅＭＢＢ  ＵＥが、所与の時刻において２つ以上のアクティブな帯域幅パートを有し得ること、たとえば、データ送信のために少なくとも１つと、低レイテンシインジケータのＣＯＲＥＳＥＴを監視するために少なくとも１つとを有し得ることが可能であり得る。グループ共通低レイテンシトラフィックインジケータでは、共通の探索空間は、ｅＭＢＢ  ＵＥのグループの各々の少なくとも１つの帯域幅パートと重複するリソースセット中に存在し得る。上記で述べられたように、グループ共通インジケータが監視される共通の探索空間または事前構成されたロケーションは、データ送信のために使用される帯域幅パートの内部にあるかまたは外部にあり得る。
【００６１】
一例では、低レイテンシトラフィックインジケータを監視するように構成されたＵＥについては、ＵＥのために構成された帯域幅パートのうちの少なくとも１つがグループ共通インジケータのＣＯＲＥＳＥＴを含んでいる。グループ共通インジケータを含んでいる帯域幅パートおよび／またはＣＯＲＥＳＥＴは、任意選択で、スケジューリング許可を提供するＰＤＣＣＨが受信され得るＵＥ固有探索空間をも含み得る。ＵＥが２つ以上のタイプのグループ共通ＰＤＣＣＨを監視する場合、ＵＥは、同じまたは異なるＣＯＲＥＳＥＴまたは帯域幅パートにおいて同じまたは異なる周期性でそれらを監視することが可能であり得る。
【００６２】
一例では、ＵＥは、低レイテンシトラフィックインジケータを受信するために既存／現在のＲＦ  ＢＷから異なるＲＦ  ＢＷに再同調する必要があり得る。
【００６３】
一例では、ＵＥが、進行中の送信中に指示を監視するように構成されたとき、以下の場合が可能である。１）ＵＥが、所与の時間においてただ１つのアクティブな帯域幅パートを介して送信を受信することをサポートする。１つまたは複数のプリエンプション指示のＣＯＲＥＳＥＴは、アクティブな帯域幅パートの内部にある。２）ＵＥが、所与の時間において複数の帯域幅パートを介して送信を受信することをサポートする。１つまたは複数のプリエンプション指示のＣＯＲＥＳＥＴは、データ送信のために使用されるアクティブな帯域幅パートの内部にある、または異なる帯域幅パート中にあるものとすることができる。
【００６４】
一例では、ＵＥが、進行中の送信の後に指示を監視するように構成されたとき、以下の場合が可能である。１）１つまたは複数のプリエンプション指示のＣＯＲＥＳＥＴは、影響を受けた送信が行われた同じ帯域幅パートの内部にある。２）１つまたは複数のプリエンプション指示のＣＯＲＥＳＥＴは、前の影響を受けたデータ送信のために使用されるものとは異なる帯域幅パート中にあるものとすることができる。監視間隔に基づいて、プリエンプション指示を受信するためにどの帯域幅パートを使用すべきかまたはどの帯域幅パートに同調すべきかをシグナリングするＲＲＣによってＵＥに通知される時間パターンがあることが可能であり得る。たとえば、監視オケージョンにおいて、プリエンプション指示の探索空間または事前構成されたロケーションを含んでいる帯域幅パートはまた、スケジューリング許可および／またはデータを送信するために使用される。
【００６５】
一例では、グループ共通指示が構成される場合、指示の探索空間またはＣＯＲＥＳＥＴは、指示を監視しているＵＥのグループの各ＵＥの少なくとも１つの帯域幅パートと重複するロケーションにおいて構成される。場合によっては、たとえば、共通の探索空間を含むようにグループ中のあらゆるＵＥの帯域幅パートを構成することが実現可能でないとき、ネットワークは、複数のＣＯＲＥＳＥＴにおいてグループ共通指示を繰り返すことがある。いくつかのＵＥの帯域幅パートはサイズが限定されることがある。
【００６６】
図１１は、レイテンシトレラントＵＥに宛てられた第１のデータ（たとえばレイテンシトレラントデータ）のためにスケジュールされたリソース上の低レイテンシＵＥに宛てられた第２のデータ（たとえば低レイテンシデータ）の存在をレイテンシトレラントＵＥに示すためにパンクチャリングまたはプリエンプションインジケータを使用する通信方式の一実施形態フローを示す。図１１に示されているように、ステップ１１０１において、たとえば、ｅＭＢＢ  ＵＥのためのＤＬスケジューリング許可において識別されたリソース上の第２のデータ（たとえば低レイテンシトラフィック）の存在を示し得るプリエンプションインジケータについて監視するために監視機能をオンにするかまたはアクティブにするようにｅＭＢＢ  ＵＥに促す構成指示が、ｇノードＢ（ｇＮＢ）／ｅＮＢからｅＭＢＢ  ＵＥなどのレイテンシトレラントＵＥに送信される。ステップ１１０２において、ｇＮＢは、（たとえば、スケジューリング間隔Ｔ1について）ＤＬスケジューリング許可をｅＭＢＢ  ＵＥに送信し得、ステップ１１０３において、ｇＮＢは、ｅＭＢＢ  ＵＥに第１のＤＬデータ（たとえば、レイテンシトレラントデータ）を送信し得る。ステップ１１０１および１１０２におけるインジケータ／許可は、異なるメッセージ中でまたは１つのメッセージ中で送信され得る。ｅＭＢＢ  ＵＥは、ステップ１１０４に示されているように、スケジューリング間隔Ｔ1中にプリエンプションインジケータについて監視し得る。ステップ１１０５において、ｇＮＢは、ＵＲＬＬＣ  ＵＥなどの低レイテンシＵＥにＤＬスケジューリング許可を送信し得、ステップ１１０６において、ｇＮＢは、ＵＲＬＬＣ  ＵＥに第２のＤＬデータ（たとえば、低レイテンシデータ）を送信し得る。ステップ１１０７において、ステップ１１０３において送信されたＤＬスケジューリング許可において識別されたリソース上の第２のデータ（たとえば低レイテンシトラフィックの存在を示すためのプリエンプションインジケータがｇＮＢによってｅＭＢＢ  ＵＥに送信され得る。
【００６７】
ステップ１１０８において、たとえば、プリエンプションインジケータについての監視機能をオフにするかまたは非アクティブにするようにｅＭＢＢ  ＵＥに促す別の構成インジケータが、ｇノードＢからｅＭＢＢ  ＵＥに送信される。ステップ１１０９において、ｇＮＢは、（たとえば、スケジューリング間隔Ｔ2について）ＤＬスケジューリング許可をｅＭＢＢ  ＵＥに送信し得、ステップ１１１０において、ｇＮＢは、ｅＭＢＢ  ＵＥに第３のＤＬデータ（たとえば、レイテンシトレラントデータ）を送信し得る。ステップ１１０８および１１０９におけるインジケータ／許可は、異なるメッセージ中でまたは１つのメッセージ中で送信され得る。ｅＭＢＢ  ＵＥは、それの監視機能をオフにするための構成インジケータを受信したので、ｅＭＢＢ  ＵＥは、ステップ１１１１に示されているように、間隔Ｔ2中にプリエンプションインジケータについて監視しない。
【００６８】
図１２は、ホストデバイス中に設置され得る、本明細書で説明される方法を実施するための一実施形態処理システム１２００のブロック図を示す。図示のように、処理システム１２００は、プロセッサ１２０４、メモリ１２０６、およびインターフェース１２１０〜１２１４を含み、これらは図１２に示されているように配置され得る（またはそのように配置されないことがある）。プロセッサ１２０４は、計算および／または他の処理関係のタスクを実施するように適応された任意の構成要素または構成要素の集合であり得、メモリ１２０６は、プロセッサ１２０４による実行のためのプログラミングおよび／または命令を記憶するように適応された任意の構成要素または構成要素の集合であり得る。一実施形態では、メモリ１２０６は非一時的コンピュータ可読媒体を含む。インターフェース１２１０、１２１２、１２１４は、処理システム１２００が他のデバイス／構成要素および／またはユーザと通信することを可能にする任意の構成要素または構成要素の集合であり得る。たとえば、インターフェース１２１０、１２１２、１２１４のうちの１つまたは複数は、プロセッサ１２０４からのデータ、制御、または管理メッセージを、ホストデバイスおよび／またはリモートデバイス上にインストールされたアプリケーションに通信するように適応され得る。別の例として、インターフェース１２１０、１２１２、１２１４のうちの１つまたは複数は、ユーザまたはユーザデバイス（たとえば、パーソナルコンピュータ（ＰＣ）など）が処理システム１２００と対話／通信することを可能にするように適応され得る。処理システム１２００は、長期記憶装置（たとえば、不揮発性メモリなど）など、図１２に示されていない追加の構成要素を含み得る。
【００６９】
いくつかの実施形態では、処理システム１２００は、電気通信ネットワークにアクセスしているかまたはさもなければそれの一部であるネットワークデバイス中に含まれる。一例では、処理システム１２００は、基地局、中継局、スケジューラ、コントローラ、ゲートウェイ、ルータ、アプリケーションサーバ、または電気通信ネットワーク中の任意の他のデバイスなど、ワイヤレスまたはワイヤライン電気通信ネットワーク中のネットワーク側デバイス中にある。他の実施形態では、処理システム１２００は、移動局、ユーザ機器（ＵＥ）、パーソナルコンピュータ（ＰＣ）、タブレット、ウェアラブル通信デバイス（たとえば、スマートウォッチなど）、または電気通信ネットワークにアクセスするように適応された任意の他のデバイスなど、ワイヤレスまたはワイヤライン電気通信ネットワークにアクセスするユーザ側デバイス中にある。
【００７０】
いくつかの実施形態では、インターフェース１２１０、１２１２、１２１４のうちの１つまたは複数は、電気通信ネットワークを介してシグナリングを送信および受信するように適応されたトランシーバに処理システム１２００を接続する。図１３は、電気通信ネットワークを介してシグナリングを送信および受信するように適応されたトランシーバ１３００のブロック図を示す。トランシーバ１３００はホストデバイス中に設置され得る。図示のように、トランシーバ１３００は、ネットワーク側インターフェース１３０２、カプラ１３０４、送信機１３０６、受信機１３０８、信号プロセッサ１３１０、およびデバイス側インターフェース１３１２を備える。ネットワーク側インターフェース１３０２は、ワイヤレスまたはワイヤライン電気通信ネットワークを介してシグナリングを送信または受信するように適応された任意の構成要素または構成要素の集合を含み得る。カプラ１３０４は、ネットワーク側インターフェース１３０２を介して双方向通信を可能にするように適応された任意の構成要素または構成要素の集合を含み得る。送信機１３０６は、ネットワーク側インターフェース１３０２を介した送信に好適な被変調キャリア信号にベースバンド信号を変換するように適応された任意の構成要素または構成要素の集合（たとえば、アップコンバータ、電力増幅器など）を含み得る。受信機１３０８は、ネットワーク側インターフェース１３０２を介して受信されたキャリア信号をベースバンド信号に変換するように適応された任意の構成要素または構成要素の集合（たとえば、ダウンコンバータ、低雑音増幅器など）を含み得る。信号プロセッサ１３１０は、デバイス側インターフェース１３１２を介した通信に好適なデータ信号にベースバンド信号を変換するか、またはその逆に変換するように適応された任意の構成要素または構成要素の集合を含み得る。デバイス側インターフェース１３１２は、信号プロセッサ１３１０とホストデバイス内の構成要素（たとえば、処理システム１２００、ローカルエリアネットワーク（ＬＡＮ）ポートなど）との間でデータ信号を通信するように適応された任意の構成要素または構成要素の集合を含み得る。
【００７１】
トランシーバ１３００は、任意のタイプの通信媒体を介してシグナリングを送信および受信し得る。いくつかの実施形態では、トランシーバ１３００は、ワイヤレス媒体を介してシグナリングを送信および受信する。たとえば、トランシーバ１３００は、セルラープロトコル（たとえば、ロングタームエボリューション（ＬＴＥ）など）、ワイヤレスローカルエリアネットワーク（ＷＬＡＮ）プロトコル（たとえば、Ｗｉ−Ｆｉなど）、または任意の他のタイプのワイヤレスプロトコル（たとえば、Ｂｌｕｅｔｏｏｔｈ、ニアフィールド通信（ＮＦＣ）など）などのワイヤレス電気通信プロトコルに従って通信するように適応されたワイヤレストランシーバであり得る。そのような実施形態では、ネットワーク側インターフェース１３０２は１つまたは複数のアンテナ／放射要素を備える。たとえば、ネットワーク側インターフェース１３０２は、単一のアンテナ、複数の別個のアンテナ、または、たとえば、単入力多出力（ＳＩＭＯ）、多入力単出力（ＭＩＳＯ）、多入力多出力（ＭＩＭＯ）など、マルチレイヤ通信のために構成されたマルチアンテナアレイを含み得る。他の実施形態では、トランシーバ１３００は、ワイヤライン媒体、たとえば、ツイストペアケーブル、同軸ケーブル、光ファイバーなどを介してシグナリングを送信および受信する。特定の処理システムおよび／またはトランシーバは、示された構成要素のすべて、または構成要素のサブセットのみを利用してよく、統合のレベルはデバイスごとに異なってよい。
【００７２】
さらなる実施形態によれば、基地局によって実施され得るように、トラフィックを多重化するための方法が提供される。この例では、本方法は、レイテンシトレラント送信時間単位（ＴＴＵ）に対応する期間をもつレイテンシトレラントトランスポートブロック（ＴＢ）、および低レイテンシ送信時間単位（ＴＴＵ）に対応する期間をもつ低レイテンシトラフィック送信を送信するステップを含む。低レイテンシＴＢは少なくとも１つのミニスロットを含んでおり、低レイテンシトラフィック送信は、時間周波数ドメインにおいてレイテンシトレラントＴＢと重複する。ミニスロットは、レイテンシトレラントＴＢのスロットよりも少数のシンボルを含んでいる。本方法は、１つまたは複数のリソース要素（ＲＥ）を介して低レイテンシＴＢの制御情報をシグナリングするステップをさらに含む。シグナリングは、レイテンシトレラントＴＢのデータ部分中に配置され得る。あるいは、シグナリングは、レイテンシトレラントＴＢの制御部分または低レイテンシＴＢの制御部分中に配置され得る。この方法を実施するための装置も提供される。
【００７３】
さらに別の実施形態によれば、基地局によって実施され得るように、ワイヤレス通信システムにおけるリソース割振りのための方法が提供される。この例では、本方法は、レイテンシトレラントトラフィックのシステムビットおよびパリティビットをレイテンシトレラントＴＢ中のリソースに動的に再マッピングするステップを含む。本方法は、低レイテンシデータおよびレイテンシトレラントデータを送信するステップをさらに含む。ここでの実施形態はＤＬ送信について示されているが、同様の方式を、適切である場合、ＵＬ送信に適用可能としてもよいことが企図される。この方法を実施するための装置も提供される。
【００７４】
さらに別の実施形態によれば、基地局によって実施され得るように、トラフィックを多重化するための方法が提供される。この例では、本方法は、第１のリソース上で第１のユーザ機器（ＵＥ）への第１のデータの第１の送信をスケジュールするステップと、第１のリソースの少なくとも部分上で第２のＵＥに第２のデータを送信するステップとを含む。本方法は、第１のＵＥが第２のインジケータについて監視すべきであることを示す第１のインジケータを第１のＵＥにシグナリングするステップであって、第２のインジケータが、第１のリソース上の第２のデータの存在を示す、ステップをさらに含む。本方法は、第１のＵＥに第２のインジケータをシグナリングするステップであって、第２のインジケータが、第１のリソース上の第２のデータの存在を示す、ステップをさらに含む。この方法を実施するための装置も提供される。
【００７５】
上記の基地局方法実施形態では、本方法は、第２のデータが第１のリソース上で送信されるべきでないとき、第１のＵＥが第２のインジケータについて監視すべきでないことを示すために、他の第１のインジケータを第１のＵＥにシグナリングするステップをさらに含み得る。
【００７６】
第１のユーザ機器（ＵＥ）とのワイヤレス通信のために構成され、ワイヤレス通信のために構成された基地局（ＢＳ）は、命令を備える非一時的メモリストレージと、メモリと通信している１つまたは複数のプロセッサとを含んでよく、１つまたは複数のプロセッサは、上記で説明されたＢＳ方法実施形態のいずれかを実施するために命令を実行する。
【００７７】
さらに別の実施形態によれば、第１のユーザ機器（ＵＥ）によって実施され得るように、ワイヤレス通信システムにおけるリソース割振りのための方法が提供される。この例では、本方法は、第１のリソース上の第１のデータの第１の送信について基地局（ＢＳ）からスケジューリング情報を受信するステップと、第１のＵＥが第２のインジケータについて監視すべきであることを示す第１のインジケータを基地局（ＢＳ）から受信するステップであって、第２のインジケータが、第１のリソースの少なくとも部分上で第２のＵＥに送信される第１のリソース上の第２のデータの存在を示す、ステップとを含む。本方法は、ＢＳから第２のインジケータを受信するステップであって、第２のインジケータが、第１のリソース上の第２のデータの存在を示す、ステップと、スケジューリング情報および第１のインジケータに基づいて第１の送信を復号するステップとをさらに含む。この方法を実施するための装置も提供される。
【００７８】
上記の基地局およびＵＥ実施形態のいずれかでは、（任意の組合せにおける）以下のオプションのうちの１つまたは複数が可能である。第１のインジケータは、無線リソース制御（ＲＲＣ）シグナリングを介してシグナリングされ得る。第１の送信は、第１のデータおよび第２のデータの送信のために利用可能な共存領域においてスケジュールされ得る。第２のインジケータは、ユニキャスト送信、マルチキャスト送信またはブロードキャスト送信において、ＢＳによって送信されおよび／またはＵＥによって受信され得る。第２のインジケータは、第２のデータを送信するために使用される第１のリソースの部分または第２のデータが存在する第１の送信の部分を示し得る。第１の送信の部分は、コードブロック（ＣＢ）、トランスポートブロック（ＴＢ）、ＣＢのグループ、またはＴＢのグループのうちの１つまたは複数を含み得る。第１のリソースの部分は、第１のリソースの時間リソース、送信時間単位（ＴＴＵ）、送信時間間隔（ＴＴＩ）、シンボル、フレーム、サブフレーム、スロット、ミニスロット、周波数リソース、リソースブロック（ＲＢ）、またはリソースブロックグループ（ＲＢＧ）のうちの１つまたは複数を含み得る。第２のインジケータは、第１のリソースの部分上の第２のデータの存在または第２のデータが存在する第１の送信の部分を示すビットを含み得る。第２のインジケータは、第１のリソースの部分上の第２のデータの存在または第２のデータが存在する第１の送信の部分を示す複数のビットを含み得る。複数のビットの各々は、第１のリソースのそれぞれのリソース上のまたは第１の送信のそれぞれの部分上の第２のデータの存在または不在を示し得る。複数のビットは、第１のリソースの部分の、それぞれの複数の時間リソース、それぞれの複数の周波数リソースまたはそれぞれの複数の時間周波数リソースのうちの少なくとも１つに対応し得る。複数のビットは、第１の送信の、それぞれの複数のＣＢまたはそれぞれの複数のＴＢのうちの少なくとも１つに対応し得る。第２のインジケータは、明示的指示および暗黙的指示のうちの１つであり得る。第２のインジケータは、第１のリソース上でまたは第１のリソース外で送信され得る。
【００７９】
本明細書で提供される実施形態方法の１つまたは複数のステップは、対応するユニットまたはモジュールによって実施され得ることを理解されたい。たとえば、信号は、送信ユニットまたは送信モジュールによって送信され得る。信号は、受信ユニットまたは受信モジュールによって受信され得る。信号は、シグナリングユニットまたはシグナリングモジュールによって処理され得る。本明細書で説明される他のステップは、（たとえばＵＥ中の）シグナリングユニット／モジュール、スケジューリングユニット／モジュール、および／もしくは復号ユニット／モジュールならびに／または監視ユニット／モジュールによって実施され得る。それぞれのユニット／モジュールは、ハードウェア、ソフトウェア、またはそれらの組合せであり得る。たとえば、ユニット／モジュールのうちの１つまたは複数は、フィールドプログラマブルゲートアレイ（ＦＰＧＡ）または特定用途向け集積回路（ＡＳＩＣ）などの集積回路であり得る。
【００８０】
本発明について例示的な実施形態に関して説明されたが、この説明は、限定的な意味に解釈されるべきものではない。例示的な実施形態の様々な変更形態および組合せ、ならびに本発明の他の実施形態は、本説明を参照すれば当業者には明らかであろう。したがって、添付の特許請求の範囲は、いかなるそのような変更形態または実施形態をも包含するものである。
【図１】
2019531643.tif 000003
【図２】
2019531643.tif 000004
【図３】
2019531643.tif 000005
【図４】
2019531643.tif 000006
【図５Ａ】
2019531643.tif 000007
【図５Ｂ】
2019531643.tif 000008
【図６】
2019531643.tif 000009
【図７Ａ】
2019531643.tif 000010
【図７Ｂ】
2019531643.tif 000011
【図７Ｃ】
2019531643.tif 000012
【図７Ｄ】
2019531643.tif 000013
【図７Ｅ】
2019531643.tif 000014
【図８】
2019531643.tif 000015
【図９Ａ】
2019531643.tif 000016
【図９Ｂ】
2019531643.tif 000017
【図９Ｃ】
2019531643.tif 000018
【図１０Ａ】
2019531643.tif 000019
【図１０Ｂ】
2019531643.tif 000020
【図１０Ｃ】
2019531643.tif 000021
【図１０Ｄ】
2019531643.tif 000022
【図１１】
2019531643.tif 000023
【図１２】
2019531643.tif 000024
【図１３】
2019531643.tif 000025
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
第１のユーザ機器（ＵＥ）によって実施される方法であって、
第１のリソース上の第１のデータの第１の送信について基地局（ＢＳ）からスケジューリング情報を受信するステップと、
前記第１のＵＥが第２のインジケータについて監視すべきであることを示す第１のインジケータを前記基地局（ＢＳ）から受信するステップであって、前記第２のインジケータが、前記第１の送信の少なくとも部分を示す、ステップと、
前記ＢＳから第２のインジケータを受信するステップであって、前記第２のインジケータが、前記第１の送信の少なくとも部分を示す、ステップと
を備える、方法。
【請求項２】
前記スケジューリング情報および前記第１のインジケータに基づいて前記第１の送信を復号するステップをさらに備える請求項１に記載の方法。
【請求項３】
前記第１のインジケータは、無線リソース制御（ＲＲＣ）シグナリングを介してシグナリングされる請求項１および２のいずれか一項に記載の方法。
【請求項４】
前記第２のインジケータは、ユニキャスト送信、マルチキャスト送信またはブロードキャスト送信において前記ＢＳから受信される請求項１乃至３のいずれか一項に記載の方法。
【請求項５】
前記第２のインジケータは、プリエンプトされる前記第１の送信の部分を示す請求項４に記載の方法。
【請求項６】
前記第１の送信の前記部分は、ＣＢのグループを備える請求項５に記載の方法。
【請求項７】
前記第２のインジケータは、プリエンプトされる前記第１の送信の前記部分を示すビットまたは複数のビットを備える請求項５に記載の方法。
【請求項８】
前記複数のビットは、前記第１の送信の、それぞれの複数のＣＢまたはそれぞれの複数のＴＢのうちの少なくとも１つに対応する請求項５に記載の方法。
【請求項９】
ワイヤレス通信のために構成された第１のユーザ機器（ＵＥ）であって、
命令を備える非一時的メモリストレージと、
前記メモリと通信している１つまたは複数のプロセッサとを備え、前記１つまたは複数のプロセッサは、
第１のリソース上の第１のデータの第１の送信について基地局（ＢＳ）からスケジューリング情報を受信することと、
前記第１のＵＥが第２のインジケータについて監視すべきであることを示す第１のインジケータを前記基地局（ＢＳ）から受信することであって、前記第２のインジケータが、前記第１の送信の少なくとも部分を示す、受信することと、
前記ＢＳから第２のインジケータを受信することであって、前記第２のインジケータが、前記第１の送信の少なくとも部分を示す、受信することと
を行うために前記命令を実行する、第１のＵＥ。
【請求項１０】
前記１つまたは複数のプロセッサは、前記スケジューリング情報および前記第１のインジケータに基づいて前記第１の送信を復号するために前記命令をさらに実行する請求項９に記載の第１のＵＥ。
【請求項１１】
前記第１のインジケータは、無線リソース制御（ＲＲＣ）シグナリングを介してシグナリングされる請求項９乃至１０のいずれか一項に記載の第１のＵＥ。
【請求項１２】
前記第２のインジケータは、ユニキャスト送信、マルチキャスト送信またはブロードキャスト送信において前記ＢＳから受信される請求項９乃至１１のいずれか一項に記載の第１のＵＥ。
【請求項１３】
前記第２のインジケータは、プリエンプトされる前記第１の送信の部分を示す請求項１２に記載の第１のＵＥ。
【請求項１４】
前記第１の送信の前記部分は、ＣＢのグループを備える請求項１３に記載の第１のＵＥ。
【請求項１５】
前記第２のインジケータは、プリエンプトされる前記第１の送信の前記部分を示すビットまたは複数のビットを備える請求項１３に記載の第１のＵＥ。
【手続補正２】
【補正対象書類名】明細書
【補正対象項目名】００６６
【補正方法】変更
【補正の内容】
【００６６】
図１１は、レイテンシトレラントＵＥに宛てられた第１のデータ（たとえばレイテンシトレラントデータ）のためにスケジュールされたリソース上の低レイテンシＵＥに宛てられた第２のデータ（たとえば低レイテンシデータ）の存在をレイテンシトレラントＵＥに示すためにパンクチャリングまたはプリエンプションインジケータを使用する通信方式の一実施形態フローを示す。図１１に示されているように、ステップ１１０１において、たとえば、ｅＭＢＢ  ＵＥのためのＤＬスケジューリング許可において識別されたリソース上の第２のデータ（たとえば低レイテンシトラフィック）の存在を示し得るプリエンプションインジケータについて監視するために監視機能をオンにするかまたはアクティブにするようにｅＭＢＢ  ＵＥに促す構成指示が、ｇノードＢ（ｇＮＢ）／ｅＮＢからｅＭＢＢ  ＵＥなどのレイテンシトレラントＵＥに送信される。ステップ１１０２において、ｇＮＢは、（たとえば、スケジューリング間隔Ｔ1について）ＤＬスケジューリング許可をｅＭＢＢ  ＵＥに送信し得、ステップ１１０３において、ｇＮＢは、ｅＭＢＢ  ＵＥに第１のＤＬデータ（たとえば、レイテンシトレラントデータ）を送信し得る。ステップ１１０１および１１０２におけるインジケータ／許可は、異なるメッセージ中でまたは１つのメッセージ中で送信され得る。ｅＭＢＢ  ＵＥは、ステップ１１０４に示されているように、スケジューリング間隔Ｔ1中にプリエンプションインジケータについて監視し得る。ステップ１１０５において、ｇＮＢは、ＵＲＬＬＣ  ＵＥなどの低レイテンシＵＥにＤＬスケジューリング許可を送信し得、ステップ１１０６において、ｇＮＢは、ＵＲＬＬＣ  ＵＥに第２のＤＬデータ（たとえば、低レイテンシデータ）を送信し得る。ステップ１１０７において、ステップ１１０３において送信されたＤＬスケジューリング許可において識別されたリソース上の第２のデータ（たとえば低レイテンシトラフィック）の存在を示すためのプリエンプションインジケータがｇＮＢによってｅＭＢＢ  ＵＥに送信され得る。
【手続補正３】
【補正対象書類名】明細書
【補正対象項目名】００７８
【補正方法】変更
【補正の内容】
【００７８】
上記の基地局およびＵＥ実施形態のいずれかでは、（任意の組合せにおける）以下のオプションのうちの１つまたは複数が可能である。第１のインジケータは、無線リソース制御（ＲＲＣ）シグナリングを介してシグナリングされ得る。第１の送信は、第１のデータおよび第２のデータの送信のために利用可能な共存領域においてスケジュールされ得る。第２のインジケータは、ユニキャスト送信、マルチキャスト送信またはブロードキャスト送信において、ＢＳによって送信されおよび／またはＵＥによって受信され得る。第２のインジケータは、第２のデータを送信するために使用される第１のリソースの部分または第２のデータが存在する第１の送信の部分を示し得る。第１の送信の部分は、コードブロック（ＣＢ）、トランスポートブロック（ＴＢ）、ＣＢのグループ、またはＴＢのグループのうちの１つまたは複数を含み得る。第１のリソースの部分は、第１のリソースの時間リソース、送信時間単位（ＴＴＵ）、送信時間間隔（ＴＴＩ）、シンボル、フレーム、サブフレーム、スロット、ミニスロット、周波数リソース、リソースブロック（ＲＢ）、またはリソースブロックグループ（ＲＢＧ）のうちの１つまたは複数を含み得る。第２のインジケータは、第１のリソースの部分上の第２のデータの存在または第２のデータが存在する第１の送信の部分を示すビットを含み得る。第２のインジケータは、第１のリソースの部分上の第２のデータの存在または第２のデータが存在する第１の送信の部分を示す複数のビットを含み得る。複数のビットの各々は、第１のリソースのそれぞれのリソース上のまたは第１の送信のそれぞれの部分上の第２のデータの存在または不在を示し得る。複数のビットは、第１のリソースの部分の、それぞれの複数の時間リソース、それぞれの複数の周波数リソースまたはそれぞれの複数の時間周波数リソースのうちの少なくとも１つに対応し得る。複数のビットは、第１の送信の、それぞれの複数のＣＢまたはそれぞれの複数のＴＢのうちの少なくとも１つに対応し得る。第２のインジケータは、明示的指示および暗黙的指示のうちの１つであり得る。第２のインジケータは、第１のリソース上でまたは第１のリソース外で送信され得る。
本発明は、以下の例を参照することにより理解され得る。
例１。第１のユーザ機器（ＵＥ）によって実施される方法であって、第１のリソース上の第１のデータの第１の送信について基地局（ＢＳ）からスケジューリング情報を受信するステップと、第１のＵＥが第２のインジケータについて監視すべきであることを示す第１のインジケータを基地局（ＢＳ）から受信するステップであって、第２のインジケータが、第１のリソースの少なくとも部分上で第２のＵＥに送信される第１のリソース上の第２のデータの存在を示す、ステップと、ＢＳから第２のインジケータを受信するステップであって、第２のインジケータが、第１のリソース上の第２のデータの存在を示す、ステップと、スケジューリング情報および第１のインジケータに基づいて第１の送信を復号するステップとを備える、方法。
例２。第２のインジケータについて監視するステップをさらに備える例１に記載の方法。
例３。ＢＳから他の第１のインジケータを受信するステップをさらに備え、他の第１のインジケータは、第２のデータが第１のリソース上で送信されるべきでないとき、第１のＵＥが第２のインジケータについて監視すべきでないことを示す例１または例２に記載の方法。
例４。第１のインジケータは、無線リソース制御（ＲＲＣ）シグナリングを介してシグナリングされる例１乃至３のいずれか１つに記載の方法。
例５。第１の送信は、第１のデータおよび第２のデータの送信のために利用可能な共存領域においてスケジュールされる例１乃至４のいずれか１つに記載の方法。
例６。第２のインジケータは、ユニキャスト送信、マルチキャスト送信またはブロードキャスト送信においてＢＳから受信される例１乃至５のいずれか１つに記載の方法。
例７。第２のインジケータは、第２のデータを送信するために使用される第１のリソースの部分または第２のデータが存在する第１の送信の部分を示す例６に記載の方法。
例８。第１の送信の部分は、コードブロック（ＣＢ）、トランスポートブロック（ＴＢ）、ＣＢのグループ、またはＴＢのグループのうちの１つまたは複数を備える例７に記載の方法。
例９。第１のリソースの部分は、第１のリソースの時間リソース、送信時間単位（ＴＴＵ）、送信時間間隔（ＴＴＩ）、シンボル、フレーム、サブフレーム、スロット、ミニスロット、周波数リソース、リソースブロック（ＲＢ）、またはリソースブロックグループ（ＲＢＧ）のうちの１つまたは複数を備える例７に記載の方法。
例１０。第２のインジケータは、第１のリソースの部分上の第２のデータの存在または第２のデータが存在する第１の送信の部分を示す複数のビットを備える例７に記載の方法。
例１１。複数のビットの各々は、第１のリソースのそれぞれのリソース上のまたは第１の送信のそれぞれの部分上の第２のデータの存在または不在を示す例１０に記載の方法。
例１２。複数のビットは、第１のリソースの部分の、それぞれの複数の時間リソース、それぞれの複数の周波数リソースまたはそれぞれの複数の時間周波数リソースのうちの少なくとも１つに対応する例１０に記載の方法。
例１３。複数のビットは、第１の送信の、それぞれの複数のＣＢまたはそれぞれの複数のＴＢのうちの少なくとも１つに対応する例１０に記載の方法。
例１４。第２のデータは、第１の送信の部分をパンクチャリングして第２のデータを送信するステップまたは第１の送信の部分のために割り振られる電力を低減して第２のデータを送信するステップのうちの少なくとも１つによって第１のリソースの部分上でＢＳによって送信される例１乃至１３のいずれか１つに記載の方法。
命令を備える非一時的メモリストレージと、
メモリと通信している１つまたは複数のプロセッサとを備え、１つまたは複数のプロセッサは、第１のリソース上の第１のデータの第１の送信について基地局（ＢＳ）からスケジューリング情報を受信することと、第１のＵＥが第２のインジケータについて監視すべきであることを示す第１のインジケータを基地局（ＢＳ）から受信することであって、第２のインジケータが、第１のリソースの少なくとも部分上で第２のＵＥに送信される第１のリソース上の第２のデータの存在を示す、受信することと、ＢＳから第２のインジケータを受信することであって、第２のインジケータが、第１のリソース上の第２のデータの存在を示す、受信することと、スケジューリング情報および第１のインジケータに基づいて第１の送信を復号することとを行うために命令を実行する、第１のＵＥ。
例１６。１つまたは複数のプロセッサは、第２のインジケータについて監視するために命令をさらに実行する例１５に記載の第１のＵＥ。
例１７。１つまたは複数のプロセッサは、ＢＳから他の第１のインジケータを受信するために命令をさらに実行し、他の第１のインジケータは、第２のデータが第１のリソース上で送信されるべきでないとき、第１のＵＥが第２のインジケータについて監視すべきでないことを示す例１５または１６に記載の第１のＵＥ。
例１８。第１のインジケータは、無線リソース制御（ＲＲＣ）シグナリングを介してシグナリングされる例１５乃至１７のいずれか１つに記載の第１のＵＥ。
例１９。第１の送信は、第１のデータおよび第２のデータの送信のために利用可能な共存領域においてスケジュールされる例１５乃至１８のいずれか１つに記載の第１のＵＥ。
例２０。第２のインジケータは、ユニキャスト送信、マルチキャスト送信またはブロードキャスト送信においてＢＳから受信される例１５乃至１９のいずれか１つに記載の第１のＵＥ。
例２１。第２のインジケータは、第２のデータを送信するために使用される第１のリソースの部分または第２のデータが存在する第１の送信の部分を示す例２０に記載の第１のＵＥ。
例２２。第１の送信の部分は、コードブロック（ＣＢ）、トランスポートブロック（ＴＢ）、ＣＢのグループ、またはＴＢのグループのうちの１つまたは複数を備える例２１に記載の第１のＵＥ。
例２３。第１のリソースの部分は、第１のリソースの時間リソース、送信時間単位（ＴＴＵ）、送信時間間隔（ＴＴＩ）、シンボル、フレーム、サブフレーム、スロット、ミニスロット、周波数リソース、リソースブロック（ＲＢ）、またはリソースブロックグループ（ＲＢＧ）のうちの１つまたは複数を備える例２１に記載の第１のＵＥ。
例２４。第２のインジケータは、第１のリソースの部分上の第２のデータの存在または第２のデータが存在する第１の送信の部分を示す複数のビットを備える例２１に記載の第１のＵＥ。
例２５。複数のビットの各々は、第１のリソースのそれぞれのリソース上のまたは第１の送信のそれぞれの部分上の第２のデータの存在または不在を示す例２４に記載の第１のＵＥ。
例２６。複数のビットは、第１のリソースの部分の、それぞれの複数の時間リソース、それぞれの複数の周波数リソースまたはそれぞれの複数の時間周波数リソースのうちの少なくとも１つに対応する例２４に記載の第１のＵＥ。
例２７。複数のビットは、第１の送信の、それぞれの複数のＣＢまたはそれぞれの複数のＴＢのうちの少なくとも１つに対応する例２４に記載の第１のＵＥ。
例２８。第２のデータは、第１の送信の部分をパンクチャリングして第２のデータを送信するステップまたは第１の送信の部分のために割り振られる電力を低減して第２のデータを送信するステップのうちの少なくとも１つによって第１のリソースの部分上でＢＳによって送信される例１５乃至２７のいずれか１つに記載の第１のＵＥ。
【手続補正４】
【補正対象書類名】明細書
【補正対象項目名】００７９
【補正方法】変更
【補正の内容】
【００７９】
本明細書で提供される実施形態方法の１つまたは複数のステップは、対応するユニットまたはモジュールによって実施され得ることを理解されたい。たとえば、信号は、送信ユニットまたは送信モジュールによって送信され得る。信号は、受信ユニットまたは受信モジュールによって受信され得る。信号は、シグナリングユニットまたはシグナリングモジュールによって処理され得る。本明細書で説明される他のステップは、（たとえばＵＥ中の）シグナリングユニット／モジュール、スケジューリングユニット／モジュール、もしくは復号ユニット／モジュールまたは監視ユニット／モジュールによって実施され得る。それぞれのユニット／モジュールは、ハードウェア、ソフトウェア、またはそれらの組合せであり得る。たとえば、ユニット／モジュールのうちの１つまたは複数は、フィールドプログラマブルゲートアレイ（ＦＰＧＡ）または特定用途向け集積回路（ＡＳＩＣ）などの集積回路であり得る。
【手続補正５】
【補正対象書類名】図面
【補正対象項目名】図３
【補正方法】変更
【補正の内容】
【図３】
2019531643.tif 000026
【国際調査報告】
2019531643.tif 000027
2019531643.tif 000028